(57)【特許請求の範囲】
【請求項１】
無線通信システムにおいて、上りリンク信号を送信するための方法であって、前記方法はユーザ機器によって行われ、
上りリンク承認下りリンク制御情報（ＤＣＩ）なしで実行される第１の上りリンク送信に対する構成情報を受信するステップであって、前記第１の上りリンク送信は、前記上りリンク承認ＤＣＩに基づいて実行される第２の上りリンク送信より高い優先順位を有するよう構成される、ステップと、
前記第２の上りリンク送信をスケジューリングし、前記第２の上りリンク送信に対する優先順位情報を含む前記上りリンク承認ＤＣＩを受信するステップと、
前記第２の上りリンク送信と時間で重畳する前記第１の上りリンク送信に基づいて、前記第１の上りリンク送信と前記優先順位情報に基づく前記第２の上りリンク送信の１つを決定するステップと、
前記決定された上りリンク送信を行い、前記重畳した時間で、前記第１の上りリンク送信と前記第２の上りリンク送信の残りの１つをドロップするステップと、を含む、方法。
【請求項２】
前記上りリンク承認ＤＣＩによりスケジューリングされる前記第２の上りリンク送信は、サブフレーム長に対応する長さを有し、前記第１の上りリンク送信は、スロット長以下の長さを有する、請求項１に記載の方法。
【請求項３】
前記第１の上りリンク送信は、物理上りリンク共有チャネル（ＰＵＳＣＨ）を通して実行される、請求項１に記載の方法。
【請求項４】
前記上りリンク承認ＤＣＩは、物理下りリンク制御チャネル（ＰＤＣＣＨ）を通して受信される、請求項１に記載の方法。
【請求項５】
前記第１の上りリンク送信を通して、上りリンク制御情報が送信される、請求項１に記載の方法。
【請求項６】
前記上りリンク制御情報は、ＨＡＲＱ−ＡＣＫ情報を含む、請求項５に記載の方法。
【請求項７】
無線通信システムにおいて、上りリンク信号を送信するよう構成されたユーザ機器であって、
受信器及び送信器と、
前記受信器及び送信器を制御するよう構成されたプロセッサと、を含み、
前記プロセッサは、
上りリンク承認下りリンク制御情報（ＤＣＩ）なしで実行される第１の上りリンク送信に対する構成情報を受信し、前記第１の上りリンク送信は、前記上りリンク承認ＤＣＩに基づいて実行される第２の上りリンク送信より高い優先順位を有するよう構成され、
前記第２の上りリンク送信をスケジューリングし、前記第２の上りリンク送信に対する優先順位情報を含む前記上りリンク承認ＤＣＩを受信し、
前記第２の上りリンク送信と時間で重畳する前記第１の上りリンク送信に基づいて、前記第１の上りリンク送信と前記優先順位情報に基づく前記第２の上りリンク送信の１つを決定し、
前記決定された上りリンク送信を行い、前記重畳した時間で、前記第１の上りリンク送信と前記第２の上りリンク送信の残りの１つをドロップすることを含む動作を実行するよう構成される、ユーザ機器。
【請求項８】
前記上りリンク承認ＤＣＩによりスケジューリングされる前記第２の上りリンク送信は、サブフレーム長に対応する長さを有し、前記第１の上りリンク送信は、スロット長以下の長さを有する、請求項７に記載のユーザ機器。
【請求項９】
前記第１の上りリンク送信は、物理上りリンク共有チャネル（ＰＵＳＣＨ）を通して実行される、請求項７に記載のユーザ機器。
【請求項１０】
前記上りリンク承認ＤＣＩは、物理下りリンク制御チャネル（ＰＤＣＣＨ）を通して受信される、請求項７に記載のユーザ機器。
【請求項１１】
前記第１の上りリンク送信を通して、上りリンク制御情報が送信される、請求項７に記載のユーザ機器。
【請求項１２】
前記上りリンク制御情報は、ＨＡＲＱ−ＡＣＫ情報を含む、請求項１１に記載のユーザ機器。
【発明の詳細な説明】
【技術分野】
【０００１】
本発明は、無線通信システムに関し、具体的に、複数の送信時間間隔、複数のサブキャリア間隔、又は複数のプロセッシング時間を支援するための方法及びそのための装置に関する。
【背景技術】
【０００２】
パケットデータのレイテンシ（ｌａｔｅｎｃｙ）は重要な性能メトリック（ｍｅｔｒｉｃ）の１つであり、これを減らして、より早いインターネットアクセスを最終ユーザ（ｅｎｄ  ｕｓｅｒ）に提供することは、ＬＥＴのみならず、次世代移動通信システム、いわゆる新ラット（ｎｅｗ  ＲＡＴ）の設計においても重要な課題の１つと言える。
【０００３】
本発明は、このようなレイテンシの減少を支援する無線通信システムにおける上りリンク信号送信又は受信方法に関する内容を説明する。
【発明の概要】
【発明が解決しようとする課題】
【０００４】
本発明は、複数の送信時間間隔、複数のサブキャリア間隔、又は複数のプロセッシング時間を支援する端末の上りリンク送信動作又はそれと通信する基地局の上りリンク受信動作に関する。
【０００５】
本発明が遂げようとする技術的課題は、以上で言及した技術的課題に制限されず、言及していない他の技術的課題は、以下の発明の詳細な説明から本発明が属する技術分野における通常の知識を有する者には明確に理解されるであろう。
【課題を解決するための手段】
【０００６】
本発明の一実施例による無線通信システムにおいて、短いＴＴＩ（ｔｒａｎｓｍｉｓｓｉｏｎ  ｔｉｍｅ  ｉｎｔｅｒｖａｌ）長さを支援する端末のための上りリンク送信方法であって、前記方法は端末によって行われ、上りリンク承認を含む下りリンク制御情報を受信するステップ、及び前記上りリンク承認に対応する上りリンク信号の送信時点と、ＳＰＳ（ｓｅｍｉ−ｐｅｒｓｉｓｔｅｎｔ）上りリンク信号の送信時点とが重畳すると、前記上りリンク承認に対応する上りリンク信号が送信される第１のチャネルのＴＴＩ長さが、前記ＳＰＳ上りリンク信号が送信される第２のチャネルのＴＴＩ長さよりも長い場合、前記送信時点において前記第１のチャネル及び前記第２のチャネルのうち前記第２のチャネル上でのみ上りリンク信号送信を行うステップを含むことができる。
【０００７】
追加又は代案として、前記下りリンク制御情報が受信されたサブフレームの次のサブフレーム（「サブフレーム＃ｎ＋１」）から前記上りリンク承認に対応する上りリンク信号が送信されるサブフレーム（「サブフレーム＃ｎ＋ｋ」）までの時間区間の間に、前記第１のチャネルのＴＴＩ長さよりも短い長さの物理上りリンク共有チャネル（ｐｈｙｓｉｃａｌ  ｕｐｌｉｎｋ  ｓｈａｒｅｄ  ｃｈａｎｎｅｌ；ＰＵＳＣＨ）の送信をスケジュールする第２の上りリンク承認を含む第２の下りリンク制御情報が受信された場合、前記方法は、サブフレーム＃ｎ＋ｋにおいて前記上りリンク承認に対応する上りリンク信号を物理上りリンク制御チャネル（ｐｈｙｓｉｃａｌ  ｕｐｌｉｎｋ  ｃｏｎｔｒｏｌ  ｃｈａｎｎｅｌ；ＰＵＣＣＨ）上で送信するステップをさらに含むことができる。
【０００８】
追加又は代案として、前記下りリンク制御情報が受信されたサブフレームの次のサブフレーム（「サブフレーム＃ｎ＋１」）から前記上りリンク承認に対応する上りリンク信号が送信されるサブフレーム（「サブフレーム＃ｎ＋ｋ」）までの時間区間の間に、前記第１のチャネルのＴＴＩ長さよりも短い長さの物理上りリンク共有チャネル（ｐｈｙｓｉｃａｌ  ｕｐｌｉｎｋ  ｓｈａｒｅｄ  ｃｈａｎｎｅｌ；ＰＵＳＣＨ）の送信をスケジュールする第２の上りリンク承認を含む第２の下りリンク制御情報が受信された場合、前記方法は、サブフレーム＃ｎ＋ｋにおいて前記第１のチャネルのＴＴＩ長さよりも短い長さのｎ番目のＴＴＩにおいて前記上りリンク承認に対応する上りリンク信号を短い（ｓｈｏｒｔｅｎｅｄ）ＰＵＣＣＨ（ＳＰＵＣＣＨ）上で送信するステップをさらに含むことができる。
【０００９】
追加又は代案として、前記下りリンク制御情報が受信されたサブフレームの次のサブフレーム（「サブフレーム＃ｎ＋１」）から前記上りリンク承認に対応する上りリンク信号が送信されるサブフレーム（「サブフレーム＃ｎ＋ｋ」）までの時間区間の間に、前記第１のチャネルのＴＴＩ長さよりも短い長さの物理上りリンク共有チャネル（ｐｈｙｓｉｃａｌ  ｕｐｌｉｎｋ  ｓｈａｒｅｄ  ｃｈａｎｎｅｌ；ＰＵＳＣＨ）の送信をスケジュールする第２の上りリンク承認を含む第２の下りリンク制御情報が受信された場合、前記方法は、サブフレーム＃ｎ＋ｋにおいて前記上りリンク承認に対応する上りリンク信号をデータを含まない第１のチャネルで送信するステップをさらに含むことができる。
【００１０】
追加又は代案として、サブフレーム＃ｎ＋ｋ内の前記上りリンク信号がマッピングされるシンボルでのみ送信電力が使用されることができる。
【００１１】
追加又は代案として、サブフレーム＃ｎ＋ｋ内の前記下りリンク制御情報によって指示されるリソースブロックのうち、前記上りリンク信号がマッピングされるリソースブロックでのみ送信電力が使用されることができる。
【００１２】
本発明のまた別の一実施例による無線通信システムにおいて、短いＴＴＩ（ｔｒａｎｓｍｉｓｓｉｏｎ  ｔｉｍｅ  ｉｎｔｅｒｖａｌ）長さの上りリンク信号を送信する端末であって、前記端末は受信器及び送信器、および前記受信器及び送信器を制御するプロセッサを含み、前記プロセッサは、上りリンク承認を含む下りリンク制御情報を受信して、また前記上りリンク承認に対応する上りリンク信号の送信時点と、ＳＰＳ（ｓｅｍｉ−ｐｅｒｓｉｓｔｅｎｔ）上りリンク信号の送信時点とが重畳すると、前記上りリンク承認に対応する上りリンク信号が送信される第１のチャネルのＴＴＩ長さが前記ＳＰＳ上りリンク信号が送信される第２のチャネルのＴＴＩ長さよりも長い場合、前記送信時点において前記第１のチャネル及び前記第２のチャネルのうち、前記第２のチャネル上でのみ上りリンク信号送信を行うように構成することができる。
【００１３】
追加又は代案として、前記下りリンク制御情報が受信されたサブフレームの次のサブフレーム（「サブフレーム＃ｎ＋１」）から前記上りリンク承認に対応する上りリンク信号が送信されるサブフレーム（「サブフレーム＃ｎ＋ｋ」）までの時間区間の間に、前記第１のチャネルのＴＴＩ長さよりも短い長さの物理上りリンク共有チャネル（ｐｈｙｓｉｃａｌ  ｕｐｌｉｎｋ  ｓｈａｒｅｄ  ｃｈａｎｎｅｌ；ＰＵＳＣＨ）の送信をスケジュールする第２の上りリンク承認を含む第２の下りリンク制御情報が受信された場合、前記プロセッサは、サブフレーム＃ｎ＋ｋにおいて前記上りリンク承認に対応する上りリンク信号を物理上りリンク制御チャネル（ｐｈｙｓｉｃａｌ  ｕｐｌｉｎｋ  ｃｏｎｔｒｏｌ  ｃｈａｎｎｅｌ；ＰＵＣＣＨ）上で送信するように構成されることができる。
【００１４】
追加又は代案として、前記下りリンク制御情報が受信されたサブフレームの次のサブフレーム（「サブフレーム＃ｎ＋１」）から前記上りリンク承認に対応する上りリンク信号が送信されるサブフレーム（「サブフレーム＃ｎ＋ｋ」）までの時間区間の間に、前記第１のチャネルのＴＴＩ長さよりも短い長さの物理上りリンク共有チャネル（ｐｈｙｓｉｃａｌ  ｕｐｌｉｎｋ  ｓｈａｒｅｄ  ｃｈａｎｎｅｌ；ＰＵＳＣＨ）の送信をスケジュールする第２の上りリンク承認を含む第２の下りリンク制御情報が受信された場合、前記プロセッサは、サブフレーム＃ｎ＋ｋにおいて前記第１のチャネルのＴＴＩ長さよりも短い長さのｎ番目のＴＴＩにおいて前記上りリンク承認に対応する上りリンク信号を短い（ｓｈｏｒｔｅｎｅｄ）ＰＵＣＣＨ（ＳＰＵＣＣＨ）上で送信するように構成されて、前記ｎは予め設定されることができる。
【００１５】
追加又は代案として、前記下りリンク制御情報が受信されたサブフレームの次のサブフレーム（「サブフレーム＃ｎ＋１」）から前記上りリンク承認に対応する上りリンク信号が送信されるサブフレーム（「サブフレーム＃ｎ＋ｋ」）までの時間区間の間に、前記第１のチャネルのＴＴＩ長さよりも短い長さの物理上りリンク共有チャネル（ｐｈｙｓｉｃａｌ  ｕｐｌｉｎｋ  ｓｈａｒｅｄ  ｃｈａｎｎｅｌ；ＰＵＳＣＨ）の送信をスケジュールする第２の上りリンク承認を含む第２の下りリンク制御情報が受信された場合、前記プロセッサは、サブフレーム＃ｎ＋ｋにおいて前記上りリンク承認に対応する上りリンク信号をデータを含まない第１のチャネルで送信するように構成されることができる。
【００１６】
追加又は代案として、サブフレーム＃ｎ＋ｋ内の前記上りリンク信号がマッピングされるシンボルでのみ送信電力が使用されることができる。
【００１７】
追加又は代案として、サブフレーム＃ｎ＋ｋ内の前記下りリンク制御情報によって指示されるリソースブロックのうち、前記上りリンク信号がマッピングされるリソースブロックでのみ送信電力が使用されることができる。
【００１８】
上記の課題解決方法は本発明の実施例の一部に過ぎず、当該技術の分野における通常の知識を有する者であれば、本願発明の技術的特徴が反映された様々な実施例を以下に説明する本発明の詳細な説明から導出できるであろう。
【発明の効果】
【００１９】
本発明の実施例によれば、複数のＴＴＩ長さ、複数のサブキャリア間隔、又は複数のプロセッシング時間を支援する端末の上りリンク送信を効率的に行うことができる。
【００２０】
本発明で得られる効果は以上に言及した効果に制限されず、言及しなかった他の効果は下記の記載から本発明が属する当該技術分野における当業者に明確に理解されるであろう。
【図面の簡単な説明】
【００２１】
本発明に関する理解を助けるために詳細な説明の一部として含まれる添付の図面は、本発明に関する実施例を提供し、詳細な説明と共に本発明の技術的思想を説明する。
【００２２】
【図１】無線通信システムで用いられる無線フレームの構造を例示する図である。
【図２】無線通信システムにおいて下りリンク／上りリンク（ＤＬ／ＵＬ）スロット構造の一例を示す図である。
【図３】３ＧＰＰ  ＬＴＥ／ＬＴＥ−Ａシステムで用いられる下りリンク（ｄｏｗｎｌｉｎｋ，ＤＬ）サブフレームの構造を例示する図である。
【図４】３ＧＰＰ  ＬＴＥ／ＬＴＥ−Ａシステムで用いられる上りリンク（ｕｐｌｉｎｋ，ＵＬ）サブフレームの構造を例示する図である。
【図５】ユーザプレーンレイテンシの減少によるＴＴＩ長さの減少を示す図である。
【図６】一サブフレーム内に複数の短いＴＴＩが設定された例を示す図である。
【図７】複数の長さ（シンボル数）の短いＴＴＩで構成されたＤＬサブフレーム構造を示す図である。
【図８】２個シンボル又は３個シンボルの短いＴＴＩで構成されたＤＬサブフレーム構造を示す図である。
【図９】本発明の実施例を具現するための装置のブロック図である。
【発明を実施するための形態】
【００２３】
以下、本発明に係る好適な実施の形態を、添付の図面を参照して詳しく説明する。添付の図面と共に以下に開示される詳細な説明は、本発明の例示的な実施の形態を説明するためのものであり、本発明が実施し得る唯一の実施の形態を示すためのものではない。以下の詳細な説明は、本発明の完全な理解を提供するために具体的な細部事項を含む。しかし、当業者にとってはこのような具体的な細部事項なしにも本発明を実施できることは明らかである。
【００２４】
場合によっては、本発明の概念が曖昧になることを避けるために、公知の構造及び装置を省略したり、各構造及び装置の核心機能を中心にしたブロック図の形式で示すことができる。また、本明細書全体にわたって同一の構成要素については、同一の図面符号を付して説明する。
【００２５】
本発明において、ユーザ機器（ｕｓｅｒ  ｅｑｕｉｐｍｅｎｔ，ＵＥ）は、固定していても、移動性を有していてもよいもので、基地局（ｂａｓｅ  ｓｔａｔｉｏｎ，ＢＳ）と通信してユーザデータ及び／又は各種制御情報を送受信する各種機器を含む。ＵＥを、端末（Ｔｅｒｍｉｎａｌ  Ｅｑｕｉｐｍｅｎｔ）、ＭＳ（Ｍｏｂｉｌｅ  Ｓｔａｔｉｏｎ）、ＭＴ（Ｍｏｂｉｌｅ  Ｔｅｒｍｉｎａｌ）、ＵＴ（Ｕｓｅｒ  Ｔｅｒｍｉｎａｌ）、ＳＳ（Ｓｕｂｓｃｒｉｂｅ  Ｓｔａｔｉｏｎ）、無線機器（ｗｉｒｅｌｅｓｓ  ｄｅｖｉｃｅ）、ＰＤＡ（Ｐｅｒｓｏｎａｌ  Ｄｉｇｉｔａｌ  Ａｓｓｉｓｔａｎｔ）、無線モデム（ｗｉｒｅｌｅｓｓ  ｍｏｄｅｍ）、携帯機器（ｈａｎｄｈｅｌｄ  ｄｅｖｉｃｅ）などと呼ぶこともできる。また、本発明において、ＢＳは一般に、ＵＥ及び／又は他のＢＳと通信する固定局（ｆｉｘｅｄ  ｓｔａｔｉｏｎ）を意味し、ＵＥ及び他のＢＳと通信して各種データ及び制御情報を交換する。ＢＳを、ＡＢＳ（Ａｄｖａｎｃｅｄ  Ｂａｓｅ  Ｓｔａｔｉｏｎ）、ＮＢ（Ｎｏｄｅ−Ｂ）、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）、ＰＳ（Ｐｒｏｃｅｓｓｉｎｇ  Ｓｅｒｖｅｒ）、送信ポイント（ｔｒａｎｓｍｉｓｓｉｏｎ  ｐｏｉｎｔ；ＴＰ）などと呼ぶこともできる。以下の本発明に関する説明では、ＢＳをｅＮＢと総称する。
【００２６】
本発明でいうノード（ｎｏｄｅ）とは、ユーザ機器と通信して無線信号を送信／受信できる固定した地点（ｐｏｉｎｔ）を指す。様々な形態のｅＮＢをその名称にかかわらずノードとして用いることができる。例えば、ＢＳ、ＮＢ、ｅＮＢ、ピコ−セルｅＮＢ（ＰｅＮＢ）、ホームｅＮＢ（ＨｅＮＢ）、リレー、リピータなどをノードとすることができる。また、ノードは、ｅＮＢでなくてもよい。例えば、無線リモートヘッド（ｒａｄｉｏ  ｒｅｍｏｔｅ  ｈｅａｄ，ＲＲＨ）、無線リモートユニット（ｒａｄｉｏ  ｒｅｍｏｔｅ  ｕｎｉｔ，ＲＲＵ）であってもよい。ＲＲＨ、ＲＲＵなどは一般にｅＮＢの電力レベル（ｐｏｗｅｒ  ｌｅｖｅｌ）よりも低い電力レベルを有する。ＲＲＨ或いはＲＲＵ（以下、ＲＲＨ／ＲＲＵ）は一般に、光ケーブルなどの専用回線（ｄｅｄｉｃａｔｅｄ  ｌｉｎｅ）でｅＮＢに接続されており、よって、一般に無線回線で接続されているｅＮＢによる協調通信に比べて、ＲＲＨ／ＲＲＵとｅＮＢによる協調通信を円滑に行うことができる。１つのノードには少なくとも１つのアンテナが設置される。このアンテナは、物理アンテナを意味することもでき、アンテナポート、仮想アンテナ、又はアンテナグループを意味することもできる。ノードは、ポイント（ｐｏｉｎｔ）と呼ばれることもある。アンテナが基地局に集中して位置して１つのｅＮＢコントローラ（ｃｏｎｔｒｏｌｌｅｒ）によって制御される既存の（ｃｏｎｖｅｎｔｉｏｎａｌ）中央集中型アンテナシステム（ｃｅｎｔｒａｌｉｚｅｄ  ａｎｔｅｎｎａ  ｓｙｓｔｅｍ，ＣＡＳ）（すなわち、単一ノードシステム）と違い、多重ノードシステムにおいて複数のノードは一般に一定間隔以上で離れて位置する。これらの複数のノードは、各ノードの動作を制御したり、各ノードを通して送／受信されるデータをスケジューリング（ｓｃｈｅｄｕｌｉｎｇ）する１つ以上のｅＮＢ或いはｅＮＢコントローラによって管理することができる。各ノードは、当該ノードを管理するｅＮＢ或いはｅＮＢコントローラとケーブル（ｃａｂｌｅ）或いは専用回線（ｄｅｄｉｃａｔｅｄ  ｌｉｎｅ）で接続することができる。多重ノードシステムにおいて、複数のノードへの／からの信号送信／受信には、同一のセル識別子（ｉｄｅｎｔｉｔｙ，ＩＤ）が用いられてもよく、異なるセルＩＤが用いられてもよい。複数のノードが同一のセルＩＤを有すると、これら複数のノードのそれぞれは、１つのセルにおける一部のアンテナ集団のように動作する。多重ノードシステムにおいてノードが互いに異なるセルＩＤを有すると、このような多重ノードシステムを多重セル（例えば、マクロ−セル／フェムト−セル／ピコ−セル）システムと見なすことができる。複数のノードのそれぞれが形成した多重セルがカバレッジによってオーバーレイする形態で構成されると、これらの多重セルが形成したネットワークを特に多重−階層（ｍｕｌｔｉ−ｔｉｅｒ）ネットワークと呼ぶ。ＲＲＨ／ＲＲＵのセルＩＤとｅＮＢのセルＩＤは同一であっても、異なってもよい。ＲＲＨ／ＲＲＵとｅＮＢが互いに異なるセルＩＤを用いる場合、ＲＲＨ／ＲＲＵとｅＮＢはいずれも独立した基地局として動作する。
【００２７】
以下に説明する本発明の多重ノードシステムにおいて、複数のノードに接続した１つ以上のｅＮＢ或いはｅＮＢコントローラが、前記複数のノードの一部又は全てを介してＵＥに同時に信号を送信或いは受信するように前記複数のノードを制御することができる。各ノードの実体、各ノードの具現の形態などによって、多重ノードシステム間には差異点があるが、複数のノードが共に所定時間−周波数リソース上でＵＥに通信サービスを提供するために参加するという点で、これらの多重ノードシステムは単一ノードシステム（例えば、ＣＡＳ、従来のＭＩＭＯシステム、従来の中継システム、従来のリピータシステムなど）とは異なる。そのため、複数のノードの一部又は全てを用いてデータ協調送信を行う方法に関する本発明の実施例は、種々の多重ノードシステムに適用可能である。例えば、ノードとは、通常、他のノードと一定間隔以上で離れて位置しているアンテナグループを指すが、後述する本発明の実施例は、ノードが間隔にかかわらずに任意のアンテナグループを意味する場合にも適用可能である。例えば、Ｘ−ｐｏｌ（Ｃｒｏｓｓ  ｐｏｌａｒｉｚｅｄ）アンテナを備えたｅＮＢの場合、該ｅＮＢが、Ｈ−ｐｏｌアンテナで構成されたノードとＶ−ｐｏｌアンテナで構成されたノードを制御すると見なし、本発明の実施例を適用することができる。
【００２８】
複数の送信（Ｔｘ）／受信（Ｒｘ）ノードを介して信号を送信／受信したり、複数の送信／受信ノードから選択された少なくとも１つのノードを介して信号を送信／受信したり、下りリンク信号を送信するノードと上りリンク信号を受信するノードとを別にし得る通信技法を、多重−ｅＮＢ  ＭＩＭＯ又はＣｏＭＰ（Ｃｏｏｒｄｉｎａｔｅｄ  Ｍｕｌｔｉ−Ｐｏｉｎｔ  ＴＸ／ＲＸ）という。このようなノード間協調通信のうち、協調送信技法は、ＪＰ（ｊｏｉｎｔ  ｐｒｏｃｅｓｓｉｎｇ）とスケジューリング協調（ｓｃｈｅｄｕｌｉｎｇ  ｃｏｏｒｄｉｎａｔｉｏｎ）とに区別できる。前者はＪＴ（ｊｏｉｎｔ  ｔｒａｎｓｍｉｓｓｉｏｎ）／ＪＲ（ｊｏｉｎｔ  ｒｅｃｅｐｔｉｏｎ）とＤＰＳ（ｄｙｎａｍｉｃ  ｐｏｉｎｔ  ｓｅｌｅｃｔｉｏｎ）とに区別し、後者はＣＳ（ｃｏｏｒｄｉｎａｔｅｄ  ｓｃｈｅｄｕｌｉｎｇ）とＣＢ（ｃｏｏｒｄｉｎａｔｅｄ  ｂｅａｍｆｏｒｍｉｎｇ）とに区別できる。ＤＰＳは、ＤＣＳ（ｄｙｎａｍｉｃ  ｃｅｌｌ  ｓｅｌｅｃｔｉｏｎ）と呼ぶこともできる。他の協調通信技法に比べて、ノード間協調通信技法のうちＪＰを行うとき、より様々な通信環境を形成することができる。ＪＰにおいて、ＪＴは、複数のノードが同一のストリームをＵＥに送信する通信技法をいい、ＪＲは、複数のノードが同一のストリームをＵＥから受信する通信技法をいう。当該ＵＥ／ｅＮＢは、前記複数のノードから受信した信号を合成して前記ストリームを復元する。ＪＴ／ＪＲでは、同一のストリームが複数のノードから／に送信されるため、送信ダイバーシティ（ｄｉｖｅｒｓｉｔｙ）によって信号送信の信頼度を向上させることができる。ＪＰのＤＰＳは、複数のノードから特定規則によって選択された１つのノードを介して信号が送信／受信される通信技法をいう。ＤＰＳでは、通常、ＵＥとノード間のチャネル状態の良いノードが通信ノードとして選択されるはずであるため、信号送信の信頼度を向上させることができる。
【００２９】
本発明でいうセル（ｃｅｌｌ）とは、１つ以上のノードが通信サービスを提供する一定の地理的領域をいう。そのため、本発明で特定セルと通信するということは、特定セルに通信サービスを提供するｅＮＢ或いはノードと通信することを意味できる。また、特定セルの下りリンク／上りリンク信号は、該特定セルに通信サービスを提供するｅＮＢ或いはノードからの／への下りリンク／上りリンク信号を意味する。ＵＥに上り／下りリンク通信サービスを提供するセルを特にサービングセル（ｓｅｒｖｉｎｇ  ｃｅｌｌ）という。また、特定セルのチャネル状態／品質は、該特定セルに通信サービスを提供するｅＮＢ或いはノードとＵＥ間に形成されたチャネル或いは通信リンクのチャネル状態／品質を意味する。３ＧＰＰ  ＬＥＴ−Ａベースのシステムにおいて、ＵＥは、特定ノードからの下りリンクチャネル状態を、前記特定ノードのアンテナポートが前記特定ノードに割り当てられたチャネルＣＳＩ−ＲＳ（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）リソース上で送信するＣＳＩ−ＲＳを用いて測定することができる。一般に、隣接したノードは、互いに直交するＣＳＩ−ＲＳリソース上で該当のＣＳＩ−ＲＳリソースを送信する。ＣＳＩ−ＲＳリソースが直交するということは、ＣＳＩ−ＲＳを運ぶシンボル及び副搬送波を特定するＣＳＩ−ＲＳリソース構成（ｒｅｓｏｕｒｃｅ  ｃｏｎｆｉｇｕｒａｔｉｏｎ）、サブフレームオフセット（ｏｆｆｓｅｔ）及び送信周期（ｔｒａｎｓｍｉｓｓｉｏｎ  ｐｅｒｉｏｄ）などによってＣＳＩ−ＲＳが割り当てられたサブフレームを特定するサブフレーム構成（ｓｕｂｆｒａｍｅ  ｃｏｎｆｉｇｕｒａｔｉｏｎ）、ＣＳＩ−ＲＳシーケンスのうちの少なくとも１つが互いに異なることを意味する。
【００３０】
本発明において、ＰＤＣＣＨ（Ｐｈｙｓｉｃａｌ  Ｄｏｗｎｌｉｎｋ  Ｃｏｎｔｒｏｌ  ＣＨａｎｎｅｌ）／ＰＣＦＩＣＨ（Ｐｈｙｓｉｃａｌ  Ｃｏｎｔｒｏｌ  Ｆｏｒｍａｔ  Ｉｎｄｉｃａｔｏｒ  ＣＨａｎｎｅｌ）／ＰＨＩＣＨ（Ｐｈｙｓｉｃａｌ  Ｈｙｂｒｉｄ  ａｕｔｏｍａｔｉｃ  ｒｅｔｒａｎｓｍｉｔ  ｒｅｑｕｅｓｔ  Ｉｎｄｉｃａｔｏｒ  ＣＨａｎｎｅｌ）／ＰＤＳＣＨ（Ｐｈｙｓｉｃａｌ  Ｄｏｗｎｌｉｎｋ  Ｓｈａｒｅｄ  ＣＨａｎｎｅｌ）はそれぞれ、ＤＣＩ（Ｄｏｗｎｌｉｎｋ  Ｃｏｎｔｒｏｌ  Ｉｎｆｏｒｍａｔｉｏｎ）／ＣＦＩ（Ｃｏｎｔｒｏｌ  Ｆｏｒｍａｔ  Ｉｎｄｉｃａｔｏｒ）／下りリンクＡＣＫ／ＮＡＣＫ（ＡＣＫｎｏｗｌｅｇｅｍｅｎｔ／Ｎｅｇａｔｉｖｅ  ＡＣＫ）／下りリンクデータを運ぶ時間−周波数リソースの集合或いはリソース要素の集合を意味する。また、ＰＵＣＣＨ（Ｐｈｙｓｉｃａｌ  Ｕｐｌｉｎｋ  Ｃｏｎｔｒｏｌ  ＣＨａｎｎｅｌ）／ＰＵＳＣＨ（Ｐｈｙｓｉｃａｌ  Ｕｐｌｉｎｋ  Ｓｈａｒｅｄ  ＣＨａｎｎｅｌ）／ＰＲＡＣＨ（Ｐｈｙｓｉｃａｌ  Ｒａｎｄｏｍ  Ａｃｃｅｓｓ  ＣＨａｎｎｅｌ）はそれぞれ、ＵＣＩ（Ｕｐｌｉｎｋ  Ｃｏｎｔｒｏｌ  Ｉｎｆｏｒｍａｔｉｏｎ）／上りリンクデータ／ランダムアクセス信号を運ぶ時間−周波数リソースの集合或いはリソース要素の集合を意味する。本発明では、特に、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨに割り当てられたり、又はそれに属した時間−周波数リソース或いはリソース要素（Ｒｅｓｏｕｒｃｅ  Ｅｌｅｍｅｎｔ，ＲＥ）をそれぞれ、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨ  ＲＥ又はＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨリソースと呼ぶ。以下でユーザ機器がＰＵＣＣＨ／ＰＵＳＣＨ／ＰＲＡＣＨを送信するという表現は、それぞれ、ＰＵＳＣＨ／ＰＵＣＣＨ／ＰＲＡＣＨ上で或いは介して上りリンク制御情報／上りリンクデータ／ランダムアクセス信号を送信するという表現と同じ意味で使われる。また、ｅＮＢがＰＤＣＣＨ／ＰＣＦＩＣＨ／ＰＨＩＣＨ／ＰＤＳＣＨを送信するという表現は、それぞれ、ＰＤＣＣＨ／ＰＣＦＩＣＨ／ＰＨＩＣＨ／ＰＤＳＣＨ上で或いは介して下りリンクデータ／制御情報を送信するという表現と同じ意味で使われる。
【００３１】
図１は、無線通信システムで用いられる無線フレーム構造の一例を示す図である。特に、図１（ａ）は、３ＧＰＰ  ＬＥＴ／ＬＥＴ−Ａシステムで用いられる周波数分割デュプレックス（ｆｒｅｑｕｅｎｃｙ  ｄｉｖｉｓｉｏｎ  ｄｕｐｌｅｘ，ＦＤＤ）用フレーム構造を示しており、図１（ｂ）は、３ＧＰＰ  ＬＥＴ／ＬＥＴ−Ａシステムで用いられる時間分割デュプレックス（ｔｉｍｅ  ｄｉｖｉｓｉｏｎ  ｄｕｐｌｅｘ，ＴＤＤ）用フレーム構造を示している。
【００３２】
図１を参照すると、３ＧＰＰ  ＬＥＴ／ＬＥＴ−Ａシステムで用いられる無線フレームは、１０ｍｓ（３０７２００Ｔｓ）の長さを有し、１０個の均等なサイズのサブフレーム（ｓｕｂｆｒａｍｅ，ＳＦ）で構成される。１無線フレームにおける１０個のサブフレームにはそれぞれ番号を与えることができる。ここで、Ｔｓは、サンプリング時間を表し、Ｔｓ＝１／（２０４８＊１５ｋＨｚ）で表示される。それぞれのサブフレームは、１ｍｓの長さを有し、２個のスロットで構成される。１無線フレームにおいて２０個のスロットには０から１９までの番号を順次に与えることができる。それぞれのスロットは０．５ｍｓの長さを有する。１サブフレームを送信するための時間は、送信時間間隔（ｔｒａｎｓｍｉｓｓｉｏｎ  ｔｉｍｅ  ｉｎｔｅｒｖａｌ，ＴＴＩ）と定義される。時間リソースは、無線フレーム番号（或いは、無線フレームインデックスともいう）、サブフレーム番号（或いは、サブフレームインデックスともいう）、スロット番号（或いは、スロットインデックスともいう）などによって区別することができる。
【００３３】
無線フレームは、デュプレックス（ｄｕｐｌｅｘ）技法によって別々に構成（ｃｏｎｆｉｇｕｒｅ）することができる。例えば、ＦＤＤにおいて、下りリンク送信及び上りリンク送信は周波数によって区別されるため、無線フレームは特定周波数帯域に対して下りリンクサブフレーム又は上りリンクサブフレームのいずれか１つのみを含む。ＴＤＤでは下りリンク送信及び上りリンク送信が時間によって区別されるため、特定周波数帯域に対して無線フレームは下りリンクサブフレームも上りリンクサブフレームも含む。
【００３４】
表１は、ＴＤＤで、無線フレームにおけるサブフレームのＤＬ−ＵＬ構成（ｃｏｎｆｉｇｕｒａｔｉｏｎ）を例示するものである。
【００３５】
【表１】
0006810270.tif 000002
【００３６】
表１で、Ｄは下りリンクサブフレームを、Ｕは上りリンクサブフレームを、Ｓは特異（ｓｐｅｃｉａｌ）サブフレームを表す。特異サブフレームは、ＤｗＰＴＳ（Ｄｏｗｎｌｉｎｋ  Ｐｉｌｏｔ  ＴｉｍｅＳｌｏｔ）、ＧＰ（Ｇｕａｒｄ  Ｐｅｒｉｏｄ）、ＵｐＰＴＳ（Ｕｐｌｉｎｋ  Ｐｉｌｏｔ  ＴｉｍｅＳｌｏｔ）の３つのフィールドを含む。ＤｗＰＴＳは、下りリンク送信のために留保される時間区間であり、ＵｐＰＴＳは上りリンク送信のために留保される時間区間である。表２は、特異サブフレーム構成（ｃｏｎｆｉｇｕｒａｔｉｏｎ）を例示するものである。
【００３７】
【表２】
0006810270.tif 000003
【００３８】
図２は、無線通信システムにおいて下りリンク／上りリンク（ＤＬ／ＵＬ）スロット構造の一例を示す図である。特に、図２は、３ＧＰＰ  ＬＥＴ／ＬＥＴ−Ａシステムのリソース格子（ｒｅｓｏｕｒｃｅ  ｇｒｉｄ）の構造を示す。アンテナポート当たりに１個のリソース格子がある。
【００３９】
図２を参照すると、スロットは、時間ドメインで複数のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルを含み、周波数ドメインで複数のリソースブロック（ｒｅｓｏｕｒｃｅ  ｂｌｏｃｋ，ＲＢ）を含む。ＯＦＤＭシンボルは、１シンボル区間を意味することもある。図２を参照すると、各スロットで送信される信号は、
0006810270.tif 000004
個の副搬送波（ｓｕｂｃａｒｒｉｅｒ）と
0006810270.tif 000005
個のＯＦＤＭシンボルとで構成されるリソース格子（ｒｅｓｏｕｒｃｅ  ｇｒｉｄ）と表現することができる。ここで、
0006810270.tif 000006
は、下りリンクスロットにおけるリソースブロック（ｒｅｓｏｕｒｃｅ  ｂｌｏｃｋ，ＲＢ）の個数を表し、
0006810270.tif 000007
は、ＵＬスロットにおけるＲＢの個数を表す。
0006810270.tif 000008
と
0006810270.tif 000009
は、ＤＬ送信帯域幅とＵＬ送信帯域幅にそれぞれ依存する。
0006810270.tif 000010
は、下りリンクスロットにおけるＯＦＤＭシンボルの個数を表し、
0006810270.tif 000011
は、ＵＬスロットにおけるＯＦＤＭシンボルの個数を表す。
0006810270.tif 000012
は、１つのＲＢを構成する副搬送波の個数を表す。
【００４０】
ＯＦＤＭシンボルは、多重接続方式によって、ＯＦＤＭシンボル、ＳＣ−ＦＤＭ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅｘｉｎｇ）シンボルなどと呼ぶことができる。１つのスロットに含まれるＯＦＤＭシンボルの数は、チャネル帯域幅、ＣＰ（ｃｙｃｌｉｃ  ｐｒｅｆｉｘ）長によって様々に変更可能である。例えば、正規（ｎｏｒｍａｌ）ＣＰの場合は、１つのスロットが７個のＯＦＤＭシンボルを含むが、拡張（ｅｘｔｅｎｄｅｄ）ＣＰの場合は、１つのスロットが６個のＯＦＤＭシンボルを含む。図２では、説明の便宜のために、１つのスロットが７ＯＦＤＭシンボルで構成されるサブフレームを例示するが、本発明の実施例は、その他の個数のＯＦＤＭシンボルを有するサブフレームにも同様の方式で適用されてもよい。図２を参照すると、各ＯＦＤＭシンボルは、周波数ドメインで、
0006810270.tif 000013
個の副搬送波を含む。副搬送波の類型は、データ送信のためのデータ副搬送波、参照信号（ｒｅｆｅｒｅｎｃｅ  ｓｉｇｎａｌ）の送信のための参照信号副搬送波、ガードバンド（ｇｕａｒｄ  ｂａｎｄ）及び直流（Ｄｉｒｅｃｔ  Ｃｕｒｒｅｎｔ，ＤＣ）成分のためのヌル（ｎｕｌｌ）副搬送波に分類することができる。ＤＣ成分のためのヌル副搬送波は、未使用のまま残される副搬送波であり、ＯＦＤＭ信号生成過程或いは周波数上り変換過程で搬送波周波数（ｃａｒｒｉｅｒ  ｆｒｅｑｕｅｎｃｙ，ｆ０）にマッピング（ｍａｐｐｉｎｇ）される。搬送波周波数は中心周波数（ｃｅｎｔｅｒ  ｆｒｅｑｕｅｎｃｙ）と呼ばれることもある。
【００４１】
１  ＲＢは、時間ドメインで
0006810270.tif 000014
個（例えば、７個）の連続するＯＦＤＭシンボルと定義され、周波数ドメインで
0006810270.tif 000015
個（例えば、１２個）の連続する副搬送波と定義される。参考として、１つのＯＦＤＭシンボルと１つの副搬送波で構成されたリソースをリソース要素（ｒｅｓｏｕｒｃｅ  ｅｌｅｍｅｎｔ，ＲＥ）或いはトーン（ｔｏｎｅ）という。したがって、１つのＲＢは、
0006810270.tif 000016
個のリソース要素で構成される。リソース格子における各リソース要素は、１つのスロットにおけるインデックス対（ｋ，１）によって固有に定義できる。ｋは、周波数ドメインで０から
0006810270.tif 000017
まで与えられるインデックスであり、ｌは、時間ドメインで０から
0006810270.tif 000018
まで与えられるインデックスである。
【００４２】
１サブフレームにおいて
0006810270.tif 000019
個の連続した同一副搬送波を占有しながら、当該サブフレームにおける２個のスロットのそれぞれに１個ずつ位置する２個のＲＢを物理リソースブロック（ｐｈｙｓｉｃａｌ  ｒｅｓｏｕｒｃｅ  ｂｌｏｃｋ，ＰＲＢ）対（ｐａｉｒ）という。ＰＲＢ対を構成する２個のＲＢは、同一のＰＲＢ番号（或いは、ＰＲＢインデックス（ｉｎｄｅｘ）ともいう）を有する。ＶＲＢは、リソース割り当てのために導入された一種の論理的リソース割り当て単位である。ＶＲＢはＰＲＢと同じサイズを有する。ＶＲＢをＰＲＢにマッピングする方式によって、ＶＲＢは、局部（ｌｏｃａｌｉｚｅｄ）タイプのＶＲＢと分散（ｄｉｓｔｒｉｂｕｔｅｄ）タイプのＶＲＢとに区別される。局部タイプのＶＲＢはＰＲＢに直接マッピングされて、ＶＲＢ番号（ＶＲＢインデックスともいう）がＰＲＢ番号に直接対応する。すなわち、ｎＰＲＢ＝ｎＶＲＢとなる。局部タイプのＶＲＢには０から
0006810270.tif 000020
順に番号が与えられ、
0006810270.tif 000021
である。したがって、局部マッピング方式によれば、同一のＶＲＢ番号を有するＶＲＢが１番目のスロットと２番目のスロットにおいて、同一ＰＲＢ番号のＰＲＢにマッピングされる。一方、分散タイプのＶＲＢはインターリービングを経てＰＲＢにマッピングされる。そのため、同一のＶＲＢ番号を有する分散タイプのＶＲＢは、１番目のスロットと２番目のスロットにおいて互いに異なる番号のＰＲＢにマッピングされることがある。サブフレームの２つのスロットに１個ずつ位置し、同一のＶＲＢ番号を有する２個のＰＲＢをＶＲＢ対と称する。
【００４３】
図３は、３ＧＰＰ  ＬＥＴ／ＬＥＴ−Ａシステムで用いられる下りリンク（ｄｏｗｎｌｉｎｋ，ＤＬ）サブフレーム構造を例示する図である。
【００４４】
図３を参照すると、ＤＬサブフレームは、時間ドメインで制御領域（ｃｏｎｔｒｏｌ  ｒｅｇｉｏｎ）とデータ領域（ｄａｔａ  ｒｅｇｉｏｎ）とに区別される。図３を参照すると、サブフレームの第１のスロットで先頭部における最大３（或いは４）個のＯＦＤＭシンボルは、制御チャネルが割り当てられる制御領域（ｃｏｎｔｒｏｌ  ｒｅｇｉｏｎ）に対応する。以下、ＤＬサブフレームでＰＤＣＣＨ送信に利用可能なリソース領域（ｒｅｓｏｕｒｃｅ  ｒｅｇｉｏｎ）をＰＤＣＣＨ領域と称する。制御領域に用いられるＯＦＤＭシンボル以外のＯＦＤＭシンボルは、ＰＤＳＣＨ（Ｐｈｙｓｉｃａｌ  Ｄｏｗｎｌｉｎｋ  Ｓｈａｒｅｄ  ＣＨａｎｃｅｌ）が割り当てられるデータ領域（ｄａｔａ  ｒｅｇｉｏｎ）に該当する。以下、ＤＬサブフレームでＰＤＳＣＨ送信に利用可能なリソース領域をＰＤＳＣＨ領域と称する。３ＧＰＰ  ＬＥＴで用いられるＤＬ制御チャネルの例としては、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＨＩＣＨ（Ｐｈｙｓｉｃａｌ  ｈｙｂｒｉｄ  ＡＲＱ  ｉｎｄｉｃａｔｏｒ  Ｃｈａｎｎｅｌ）などを含む。ＰＣＦＩＣＨは、サブフレームの最初のＯＦＤＭシンボルで送信され、サブフレームにおいて制御チャネルの送信に用いられるＯＦＤＭシンボルの個数に関する情報を運ぶ。ＰＨＩＣＨは、ＵＬ送信に対する応答としてＨＡＲＱ（Ｈｙｂｒｉｄ  Ａｕｔｏｍａｔｉｃ  Ｒｅｐｅａｔ  Ｒｅｑｕｅｓｔ）ＡＣＫ／ＮＡＣＫ（ａｃｋｎｏｗｌｅｄｇｍｅｎｔ／ｎｅｇａｔｉｖｅ−ａｃｋｎｏｗｌｅｄｇｍｅｎｔ）信号を運ぶ。
【００４５】
ＰＤＣＣＨを介して送信される制御情報を下りリンク制御情報（ｄｏｗｎｌｉｎｋ  ｃｏｎｔｒｏｌ  ｉｎｆｏｒｍａｔｉｏｎ，ＤＣＩ）と呼ぶ。ＤＣＩは、ＵＥ又はＵＥグループのためのリソース割り当て情報及び他の制御情報を含む。例えば、ＤＣＩは、ＤＬ共有チャネル（ｄｏｗｎｌｉｎｋ  ｓｈａｒｅｄ  ｃｈａｎｎｅｌ，ＤＬ−ＳＣＨ）の送信フォーマット及びリソース割り当て情報、ＵＬ共有チャネル（ｕｐｌｉｎｋ  ｓｈａｒｅｄ  ｃｈａｎｎｅｌ，ＵＬ−ＳＣＨ）の送信フォーマット及びリソース割り当て情報、ページングチャネル（ｐａｇｉｎｇ  ｃｈａｎｎｅｌ，ＰＣＨ）上のページング情報、ＤＬ−ＳＣＨ上のシステム情報、ＰＤＳＣＨ上で送信されるランダムアクセス応答のような上位層（ｕｐｐｅｒ  ｌａｙｅｒ）制御メッセージのリソース割り当て情報、ＵＥグループ内の個別ＵＥへの送信電力制御命令（Ｔｒａｎｓｍｉｔ  Ｃｏｎｔｒｏｌ  Ｃｏｍｍａｎｄ  Ｓｅｔ）、送信電力制御（Ｔｒａｎｓｍｉｔ  Ｐｏｗｅｒ  Ｃｏｎｔｒｏｌ）命令、ＶｏＩＰ（Ｖｏｉｃｅ  ｏｖｅｒ  ＩＰ）の活性化（ａｃｔｉｖａｔｉｏｎ）指示情報、ＤＡＩ（Ｄｏｗｎｌｉｎｋ  Ａｓｓｉｇｎｍｅｎｔ  Ｉｎｄｅｘ）などを含む。ＤＬ共有チャネル（ｄｏｗｎｌｉｎｋ  ｓｈａｒｅｄ  ｃｈａｎｎｅｌ，ＤＬ−ＳＣＨ）の送信フォーマット（Ｔｒａｎｓｍｉｔ  Ｆｏｒｍａｔ）及びリソース割り当て情報は、ＤＬスケジューリング情報或いはＤＬグラント（ＤＬ  ｇｒａｎｔ）とも呼ばれ、ＵＬ共有チャネル（ｕｐｌｉｎｋ  ｓｈａｒｅｄ  ｃｈａｎｎｅｌ，ＵＬ−ＳＣＨ）の送信フォーマット及びリソース割り当て情報は、ＵＬスケジューリング情報或いはＵＬグラント（ＵＬ  ｇｒａｎｔ）とも呼ばれる。１つのＰＤＣＣＨが運ぶＤＣＩは、ＤＣＩフォーマットによってそのサイズと用途が異なり、符号化率によってそのサイズが異なり得る。現在３ＧＰＰ  ＬＥＴシステムでは、上りリンク用にフォーマット０及び４、下りリンク用にフォーマット１、１Ａ、１Ｂ、１Ｃ、１Ｄ、２、２Ａ、２Ｂ、２Ｃ、３、３Ａなどの様々なフォーマットが定義されている。ＤＣＩフォーマットのそれぞれの用途に応じて、ホッピングフラグ、ＲＢ割り当て（ＲＢ  ａｌｌｏｃａｔｉｏｎ）、ＭＣＳ（ｍｏｄｕｌａｔｉｏｎ  ｃｏｄｉｎｇ  ｓｃｈｅｍｅ）、ＲＶ（ｒｅｄｕｎｄａｎｃｙ  ｖｅｒｓｉｏｎ）、ＮＤＩ（ｎｅｗ  ｄａｔａ  ｉｎｄｉｃａｔｏｒ）、ＴＰＣ（ｔｒａｎｓｍｉｔ  ｐｏｗｅｒ  ｃｏｎｔｒｏｌ）、循環シフトＤＭＲＳ（ｃｙｃｌｉｃ  ｓｈｉｆｔ  ｄｅｍｏｄｕｌａｔｉｏｎ  ｒｅｆｅｒｅｎｃｅ  ｓｉｇｎａｌ）、ＵＬインデックス、ＣＱＩ（ｃｈａｎｎｅｌ  ｑｕａｌｉｔｙ  ｉｎｆｏｒｍａｔｉｏｎ）要請、ＤＬ割り当てインデックス（ＤＬ  ａｓｓｉｇｎｍｅｎｔ  ｉｎｄｅｘ）、ＨＡＲＱプロセスナンバー、ＴＰＭＩ（ｔｒａｎｓｍｉｔｔｅｄ  ｐｒｅｃｏｄｉｎｇ  ｍａｔｒｉｘ  ｉｎｄｉｃａｔｏｒ）、ＰＭＩ（ｐｒｅｃｏｄｉｎｇ  ｍａｔｒｉｘ  ｉｎｄｉｃａｔｏｒ）情報などの制御情報が適宜選択された組み合わせが下りリンク制御情報としてＵＥに送信される。
【００４６】
一般に、ＵＥに構成された送信モード（ｔｒａｎｓｍｉｓｓｉｏｎ  ｍｏｄｅ，ＴＭ）によって当該ＵＥに送信可能なＤＣＩフォーマットが異なる。換言すれば、特定送信モードに構成されたＵＥのためには、いかなるＤＣＩフォーマットを用いてもよいわけではなく、特定送信モードに対応する一定ＤＣＩフォーマットのみを用いることができる。
【００４７】
ＰＤＣＣＨは、１つ又は複数の連続した制御チャネル要素（ｃｏｎｔｒｏｌ  ｃｈａｎｎｅｌ  ｅｌｅｍｅｎｔ，ＣＣＥ）の集成（ａｇｇｒｅｇａｔｉｏｎ）上で送信される。ＣＣＥは、ＰＤＣＣＨに無線チャネル状態に基づく符号化率（ｃｏｄｉｎｇ  ｒａｔｅ）を提供するために用いられる論理的割り当てユニット（ｕｎｉｔ）である。ＣＣＥは、複数のリソース要素グループ（ｒｅｓｏｕｒｃｅ  ｅｌｅｍｅｎｔ  ｇｒｏｕｐ，ＲＥＧ）に対応する。例えば、１  ＣＣＥは９個のＲＥＧに対応し、１  ＲＥＧは４個のＲＥに対応する。３ＧＰＰ  ＬＥＴシステムの場合、それぞれのＵＥのためにＰＤＣＣＨが位置してもよいＣＣＥセットを定義した。ＵＥが自身のＰＤＣＣＨを発見し得るＣＣＥセットを、ＰＤＣＣＨ探索空間、簡単に探索空間（Ｓｅａｒｃｈ  Ｓｐａｃｅ，ＳＳ）と呼ぶ。探索空間内でＰＤＣＣＨが送信されてもよい個別リソースをＰＤＣＣＨ候補（ｃａｎｄｉｄａｔｅ）と呼ぶ。ＵＥがモニタリング（ｍｏｎｉｔｏｒｉｎｇ）するＰＤＣＣＨ候補の集合を探索空間と定義する。３ＧＰＰ  ＬＥＴ／ＬＥＴ−ＡシステムでそれぞれのＤＣＩフォーマットのための探索空間は異なるサイズを有してもよく、専用（ｄｅｄｉｃａｔｅｄ）探索空間と共通（ｃｏｍｍｏｎ）探索空間とが定義されている。専用探索空間は、ＵＥ−特定（ｓｐｅｃｉｆｉｃ）探索空間であり、それぞれの個別ＵＥのために構成（ｃｏｎｆｉｇｕｒａｔｉｏｎ）される。共通探索空間は、複数のＵＥのために構成される。以下の表は、探索空間を定義する集成レベル（ａｇｇｒｅｇａｔｉｏｎ  ｌｅｖｅｌ）を例示するものである。
【００４８】
【表３】
0006810270.tif 000022
【００４９】
１つのＰＤＣＣＨ候補は、ＣＣＥ集成レベルによって１、２、４又は８個のＣＣＥに対応する。ｅＮＢは、探索空間内の任意のＰＤＣＣＨ候補上で実際のＰＤＣＣＨ（ＤＣＩ）を送信し、ＵＥは、ＰＤＣＣＨ（ＤＣＩ）を探すために探索空間をモニタリングする。ここで、モニタリングとは、全てのモニタリングされるＤＣＩフォーマットによって当該探索空間内の各ＰＤＣＣＨの復号（ｄｅｃｏｄｉｎｇ）を試みる（ａｔｔｅｍｐｔ）ことを意味する。ＵＥは、前記複数のＰＤＣＣＨをモニタリングし、自身のＰＤＣＣＨを検出することができる。基本的に、ＵＥは、自身のＰＤＣＣＨが送信される位置を知らないことから、各サブフレーム毎に当該ＤＣＩフォーマットの全てのＰＤＣＣＨに対して、自身の識別子を有するＰＤＣＣＨを検出するまで復号を試みるが、このような過程をブラインド検出（ｂｌｉｎｄ  ｄｅｔｅｃｔｉｏｎ）（ブラインド復号（ｂｌｉｎｄ  ｄｅｃｏｄｉｎｇ，ＢＤ））という。
【００５０】
ｅＮＢは、データ領域を通してＵＥ或いはＵＥグループのためのデータを送信することができる。データ領域を通して送信されるデータをユーザデータと呼ぶこともできる。ユーザデータの送信のために、データ領域にはＰＤＳＣＨ（Ｐｈｙｓｉｃａｌ  Ｄｏｗｎｌｉｎｋ  Ｓｈａｒｅｄ  ＣＨａｎｎｅｌ）を割り当てることができる。ＰＣＨ（Ｐａｇｉｎｇ  ｃｈａｎｎｅｌ）及びＤＬ−ＳＣＨ（Ｄｏｗｎｌｉｎｋ−ｓｈａｒｅｄ  ｃｈａｎｎｅｌ）は、ＰＤＳＣＨを介して送信される。ＵＥは、ＰＤＣＣＨを介して送信される制御情報を復号し、ＰＤＳＣＨを介して送信されるデータを読むことができる。ＰＤＳＣＨのデータがどのＵＥ或いはＵＥグループに送信されるか、前記ＵＥ或いはＵＥグループがどのようにＰＤＳＣＨデータを受信して復号すればよいかなどを示す情報がＰＤＣＣＨに含まれて送信される。例えば、特定ＰＤＣＣＨが「Ａ」というＲＮＴＩ（Ｒａｄｉｏ  Ｎｅｔｗｏｒｋ  Ｔｅｍｐｏｒａｒｙ  Ｉｄｅｎｔｉｔｙ）でＣＲＣ（ｃｙｃｌｉｃ  ｒｅｄｕｎｄａｎｃｙ  ｃｈｅｃｋ）マスキング（ｍａｓｋｉｎｇ）されており、「Ｂ」という無線リソース（例えば、周波数位置）及び「Ｃ」という送信形式情報（例えば、送信ブロックサイズ、変調方式、コーディング情報など）を用いて送信されるデータに関する情報が特定ＤＬサブフレームで送信されると仮定する。ＵＥは、自身の所有しているＲＮＴＩ情報を用いてＰＤＣＣＨをモニタリングし、「Ａ」というＲＮＴＩを有しているＵＥはＰＤＣＣＨを検出し、受信したＰＤＣＣＨの情報によって「Ｂ」と「Ｃ」で示されるＰＤＳＣＨを受信する。
【００５１】
ＵＥがｅＮＢから受信した信号を復調するには、データ信号と比較する参照信号（ｒｅｆｅｒｅｎｃｅ  ｓｉｇｎａｌ，ＲＳ）が必要である。参照信号とは、ｅＮＢがＵＥに或いはＵＥがｅＮＢに送信する、ｅＮＢとＵＥが互いに知っている、予め定義された特別な波形の信号を意味し、パイロット（ｐｉｌｏｔ）とも呼ばれる。参照信号は、セル内の全ＵＥに共用されるセル−特定（ｃｅｌｌ−ｓｐｅｃｉｆｉｃ）ＲＳと特定ＵＥに専用される復調（ｄｅｍｏｄｕｌａｔｉｏｎ）ＲＳ（ＤＭ  ＲＳ）とに区別される。ｅＮＢが特定ＵＥのための下りリンクデータの復調のために送信するＤＭ  ＲＳをＵＥ−特定的（ＵＥ−ｓｐｅｃｉｆｉｃ）ＲＳと特別に称することもできる。下りリンクでＤＭ  ＲＳとＣＲＳは共に送信されてもよいが、いずれか一方のみが送信されてもよい。ただし、下りリンクでＣＲＳ無しにＤＭ  ＲＳのみが送信される場合、データと同じプリコーダを適用して送信されるＤＭ  ＲＳは復調の目的にのみ用いることができるため、チャネル測定用ＲＳを別途に提供しなければならない。例えば、３ＧＰＰ  ＬＥＴ（−Ａ）では、ＵＥがチャネル状態情報を測定できるようにするために、追加の測定用ＲＳであるＣＳＩ−ＲＳが当該ＵＥに送信される。ＣＳＩ−ＲＳは、チャネル状態について相対的に時間による変化度が大きくないという事実に着目し、各サブフレーム毎に送信されるＣＲＳとは違い、複数のサブフレームで構成される所定の送信周期毎に送信される。
【００５２】
図４は、３ＧＰＰ  ＬＥＴ／ＬＥＴ−Ａシステムで用いられる上りリンク（ｕｐｌｉｎｋ，ＵＬ）サブフレーム構造の一例を示す図である。
【００５３】
図４を参照すると、ＵＬサブフレームは、周波数ドメインで制御領域とデータ領域とに区別できる。１つ又は複数のＰＵＣＣＨ（ｐｈｙｓｉｃａｌ  ｕｐｌｉｎｋ  ｃｏｎｔｒｏｌ  ｃｈａｎｎｅｌｓ）が上りリンク制御情報（ｕｐｌｉｎｋ  ｃｏｎｔｒｏｌ  ｉｎｆｏｒｍａｔｉｏｎ，ＵＣＩ）を運ぶために制御領域に割り当てられることができる。１つ又は複数のＰＵＳＣＨ（ｐｈｙｓｉｃａｌ  ｕｐｌｉｎｋ  ｓｈａｒｅｄ  ｃｈａｎｎｅｌｓ）がユーザデータを運ぶためにＵＬサブフレームのデータ領域に割り当てられてもよい。
【００５４】
ＵＬサブフレームではＤＣ（Ｄｉｒｅｃｔ  Ｃｕｒｒｅｎｔ）副搬送波から遠く離れた副搬送波が制御領域として用いられる。換言すれば、ＵＬ送信帯域幅の両端部に位置する副搬送波が上りリンク制御情報の送信に割り当てられる。ＤＣ副搬送波は、信号送信に用いられずに残される成分であり、周波数上り変換過程で搬送波周波数ｆ０にマッピングされる。１つのＵＥのＰＵＣＣＨは１つのサブフレームで、１つの搬送波周波数で動作するリソースに属したＲＢ対に割り当てられ、このＲＢ対に属したＲＢは、２つのスロットでそれぞれ異なる副搬送波を占有する。このように割り当てられるＰＵＣＣＨを、ＰＵＣＣＨに割り当てられたＲＢ対がスロット境界で周波数ホッピングすると表現する。ただし、周波数ホッピングが適用されない場合には、ＲＢ対が同一の副搬送波を占有する。
【００５５】
ＰＵＣＣＨは、次の制御情報を送信するために用いることができる。
【００５６】
−  ＳＲ（Ｓｃｈｅｄｕｌｉｎｇ  Ｒｅｑｕｅｓｔ）：上りリンクＵＬ−ＳＣＨリソースを要請するために用いられる情報である。ＯＯＫ（Ｏｎ−Ｏｆｆ  Ｋｅｙｉｎｇ）方式を用いて送信される。
【００５７】
−  ＨＡＲＱ−ＡＣＫ：ＰＤＣＣＨに対する応答及び／又はＰＤＳＣＨ上の下りリンクデータパケット（例えば、コードワード）に対する応答である。ＰＤＣＣＨ或いはＰＤＳＣＨが成功的に受信されたか否かを示す。単一下りリンクコードワードに対する応答としてＨＡＲＱ−ＡＣＫ  １ビットが送信され、２つの下りリンクコードワードに対する応答としてＨＡＲＱ−ＡＣＫ  ２ビットが送信される。ＨＡＲＱ−ＡＣＫ応答は、ポジティブＡＣＫ（簡単に、ＡＣＫ）、ネガティブＡＣＫ（以下、ＮＡＣＫ）、ＤＴＸ（Ｄｉｓｃｏｎｔｉｎｕｏｕｓ  Ｔｒａｎｓｍｉｓｓｉｏｎ）又はＮＡＣＫ／ＤＴＸを含む。ここで、ＨＡＲＱ−ＡＣＫという用語は、ＨＡＲＱ  ＡＣＫ／ＮＡＣＫ、ＡＣＫ／ＮＡＣＫと同じ意味で使われる。
【００５８】
−  ＣＳＩ（Ｃｈａｎｎｅｌ  Ｓｔａｔｅ  Ｉｎｆｏｒｍａｔｉｏｎ）：下りリンクチャネルに対するフィードバック情報（ｆｅｅｄｂａｃｋ  ｉｎｆｏｒｍａｔｉｏｎ）である。ＭＩＭＯ（Ｍｕｌｔｉｐｌｅ  Ｉｎｐｕｔ  Ｍｕｌｔｉｐｌｅ  Ｏｕｔｐｕｔ）−関連フィードバック情報は、ＲＩ（Ｒａｎｋ  Ｉｎｄｉｃａｔｏｒ）及びＰＭＩ（Ｐｒｅｃｏｄｉｎｇ  Ｍａｔｒｉｘ  Ｉｎｄｉｃａｔｏｒ）を含む。
【００５９】
ＵＥがサブフレームで送信可能な上りリンク制御情報（ＵＣＩ）の量は、制御情報送信に可用なＳＣ−ＦＤＭＡの個数に依存する。ＵＣＩに可用なＳＣ−ＦＤＭＡは、サブフレームにおいて参照信号の送信のためのＳＣ−ＦＤＭＡシンボル以外のＳＣ−ＦＤＭＡシンボルを意味し、ＳＲＳ（Ｓｏｕｎｄｉｎｇ  Ｒｅｆｅｒｅｎｃｅ  Ｓｉｇｎａｌ）が構成されているサブフレームでは、サブフレームの最後のＳＣ−ＦＤＭＡシンボルも除く。参照信号は、ＰＵＣＣＨのコヒーレント（ｃｏｈｅｒｅｎｔ）検出に用いられる。ＰＵＣＣＨは、送信される情報によって様々なフォーマットを支援する。
【００６０】
下記の表４に、ＬＥＴ／ＬＥＴ−ＡシステムでＰＵＣＣＨフォーマットとＵＣＩとのマッピング関係を示す。
【００６１】
【表４】
0006810270.tif 000023
【００６２】
表４を参照すると、主に、ＰＵＣＣＨフォーマット１系列はＡＣＫ／ＮＡＣＫ情報を送信するために用いられ、ＰＵＣＣＨフォーマット２系列はＣＱＩ／ＰＭＩ／ＲＩなどのチャネル状態情報（ｃｈａｎｎｅｌ  ｓｔａｔｅ  ｉｎｆｏｒｍａｔｉｏｎ，ＣＳＩ）を運ぶために用いられ、ＰＵＣＣＨフォーマット３系列はＡＣＫ／ＮＡＣＫ情報を送信するために用いられる。
【００６３】
参照信号（Ｒｅｆｅｒｅｎｃｅ  Ｓｉｇｎａｌ；ＲＳ）
【００６４】
無線通信システムにおいてパケットを送信する時、パケットは無線チャネルを通じて送信されるため、送信過程で信号の歪みが発生することがある。歪まれた信号を受信側で正しく受信するためには、チャネル情報を用いて受信信号において歪みを補正しなければならない。チャネル情報を知るために、送信側と受信側の両方で知っている信号を送信し、該信号がチャネルを通じて受信される時の歪みの度合からチャネル情報を把握する方法を主に用いる。この信号をパイロット信号（Ｐｉｌｏｔ  Ｓｉｇｎａｌ）又は参照信号（Ｒｅｆｅｒｅｎｃｅ  Ｓｉｇｎａｌ）という。
【００６５】
多重アンテナを用いてデータを送受信する場合には、各送信アンテナと受信アンテナ間のチャネル状況を知ってこそ正しい信号を受信することができる。したがって、各送信アンテナ別に、より詳しくはアンテナポート（ａｎｔｅｎｎａ  ｐｏｒｔ）別に異なった参照信号が存在しなければならない。
【００６６】
参照信号は上りリンク参照信号と下りリンク参照信号とに区別できる。現在、ＬＥＴシステムには、上りリンク参照信号として、
【００６７】
ｉ）ＰＵＳＣＨ及びＰＵＣＣＨを通じて送信された情報のコヒーレント（ｃｏｈｅｒｅｎｔ）な復調のためのチャネル推定のための復調参照信号（ＤｅＭｏｄｕｌａｔｉｏｎ−Ｒｅｆｅｒｅｎｃｅ  Ｓｉｇｎａｌ，ＤＭ−ＲＳ）
【００６８】
ｉｉ）基地局が、ネットワークの異なる周波数における上りリンクチャネル品質を測定するためのサウンディング参照信号（Ｓｏｕｎｄｉｎｇ  Ｒｅｆｅｒｅｎｃｅ  Ｓｉｇｎａｌ，ＳＲＳ）がある。
【００６９】
一方、下りリンク参照信号としては、
【００７０】
ｉ）セル内の全ての端末が共有するセル−特定参照信号（Ｃｅｌｌ−ｓｐｅｃｉｆｉｃ  Ｒｅｆｅｒｅｎｃｅ  Ｓｉｇｎａｌ，ＣＲＳ）
【００７１】
ｉｉ）特定端末だけのための端末−特定参照信号（ＵＥ−ｓｐｅｃｉｆｉｃ  Ｒｅｆｅｒｅｎｃｅ  Ｓｉｇｎａｌ）
【００７２】
ｉｉｉ）ＰＤＳＣＨが送信される場合に、コヒーレントな復調のために送信される（ＤｅＭｏｄｕｌａｔｉｏｎ−Ｒｅｆｅｒｅｎｃｅ  Ｓｉｇｎａｌ，ＤＭ−ＲＳ）
【００７３】
ｉｖ）下りリンクＤＭＲＳが送信される場合に、チャネル状態情報（Ｃｈａｎｎｅｌ  Ｓｔａｔｅ  Ｉｎｆｏｒｍａｔｉｏｎ；ＣＳＩ）を伝達するためのチャネル状態情報参照信号（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ，ＣＳＩ−ＲＳ）
【００７４】
ｖ）ＭＢＳＦＮ（Ｍｕｌｔｉｍｅｄｉａ  Ｂｒｏａｄｃａｓｔ  Ｓｉｎｇｌｅ  Ｆｒｅｑｕｅｎｃｙ  Ｎｅｔｗｏｒｋ）モードで送信される信号に対するコヒーレントな復調のために送信されるＭＢＳＦＮ参照信号（ＭＢＳＦＮ  Ｒｅｆｅｒｅｎｃｅ  Ｓｉｇｎａｌ）
【００７５】
ｖｉ）端末の地理的位置情報を推定するために用いられる位置参照信号（Ｐｏｓｉｔｉｏｎｉｎｇ  Ｒｅｆｅｒｅｎｃｅ  Ｓｉｇｎａｌ）がある。
【００７６】
参照信号はその目的によって２種類に大別できる。チャネル情報取得のために用いられる参照信号と、データ復調のために用いられる参照信号とがある。前者は、ＵＥが下りリンク上のチャネル情報を取得できるようにすることに目的があるため、広帯域に送信されなければならず、特定サブフレームで下りリンクデータを受信しない端末であってもその参照信号を受信しなければならない。また、これはハンドオーバーなどの状況でも用いられる。後者は、基地局が下りリンクを送る時に該当のリソースに共に送る参照信号であって、端末は当該参照信号を受信することによってチャネル測定をしてデータを復調することが可能になる。この参照信号は、データの送信される領域で送信されなければならない。
【００７７】
上述したレイテンシ減少、すなわちローレイテンシ(ｌｏｗ ｌａｔｅｎｃｙ)を満たすために、データ送信の最小単位であるＴＴＩを減らして０．５ｍｓｅｃ以下の短い(ｓｈｏｒｔｅｎｅｄ)ＴＴＩ(ｓＴＴＩ)を新たにデザインする必要がある。例えば、図５のように、ｅＮＢがデータ(ＰＤＣＣＨ及びＰＤＳＣＨ)の送信を開始して、ＵＥがＡ／Ｎ(ＡＣＫ／ＮＡＣＫ)の送信を完了するまでのユーザプレーン(Ｕｓｅｒ ｐｌａｎｅ；Ｕ−ｐｌａｎｅ)レイテンシを１ｍｓｅｃに減らすためには、約３ＯＦＤＭシンボルを単位としてｓＴＴＩを構成する。
【００７８】
下りリンク環境では、このようなｓＴＴＩ内でデータの送信／スケジューリングのためのＰＤＣＣＨ(すなわち、ｓＰＤＣＣＨ)と、ｓＴＴＩ内で送信が行われるＰＤＳＣＨ(すなわち、ｓＰＤＳＣＨ)を送信することができ、例えば、図６のように、１つのサブフレーム内に複数のｓＴＴＩが互いに異なるＯＦＤＭシンボルを用いて構成する。具体的に、ｓＴＴＩを構成するＯＦＤＭシンボルはレガシ制御チャンネルが送信されるＯＦＤＭシンボルを除いて構成することができる。ｓＴＴＩ内においてｓＰＤＣＣＨとｓＰＤＳＣＨの送信は、互いに異なるＯＦＤＭシンボル領域を用いてＴＤＭ(ｔｉｍｅ ｄｉｖｉｓｉｏｎ ｍｕｌｔｉｐｌｅｘｉｎｇ)された形態で送信されてもよく、互いに異なるＰＲＢ領域／周波数リソースを用いてＦＤＭ(ｆｒｅｑｕｅｎｃｙ ｄｉｖｉｓｉｏｎ ｍｕｌｔｉｐｌｅｘｉｎｇ)された形態で送信されてもよい。
【００７９】
上りリンク環境においても、上述した下りリンクのように、ｓＴＴＩ内でデータ送信／スケジューリングが可能であり、従来のＴＴＩベースのＰＵＣＣＨ及びＰＵＳＣＨに対応するチャンネルを、ｓＰＵＣＣＨ及びｓＰＵＳＣＨと称する。
【００８０】
本明細書においては、ＬＴＥ／ＬＴＥ−Ａシステムに基づいて発明を説明する。従来のＬＴＥ／ＬＴＥ−Ａで１ｍｓのサブフレームは、一般ＣＰを有する場合に１４個のＯＦＤＭシンボルからなり、１ｍｓよりも短い単位のＴＴＩを構成する場合、１つのサブフレーム内に複数のＴＴＩを構成することができる。複数のＴＴＩを構成する方式は、以下の図７に示した実施例のように、２シンボル、３シンボル、４シンボル、７シンボルを１つのＴＴＩとして構成することができる。図示を省略するが、１シンボルをＴＴＩとする場合も考えられる。１シンボルを１つのＴＴＩ単位とする場合、２個のＯＦＤＭシンボルにレガシＰＤＣＣＨを送信するという仮定下、１２個のＴＴＩが生成される。同様に、図７(ａ)のように、２シンボルを１つのＴＴＩ単位とする場合、６個のＴＴＩ、図７(ｂ)のように、３シンボルを１つのＴＴＩ単位とする場合、４個のＴＴＩ、図７(ｃ)のように、４シンボルを１つのＴＴＩ単位とする場合、３個のＴＴＩを生成することができる。もちろん、この場合、最初の２個のＯＦＤＭシンボルはレガシＰＤＣＣＨが送信されると仮定する。
【００８１】
図７(ｄ)のように、７シンボルを１つのＴＴＩ単位とする場合、レガシＰＤＣＣＨを含む７個のシンボル単位のＴＴＩの１つと後ろの７個のシンボルが１つのＴＴＩを構成することができる。このとき、ｓＴＴＩを支援する端末の場合、１つのＴＴＩが７シンボルからなる場合、１つのサブフレームの前端に位置するＴＴＩ(１番目のスロット)は、レガシＰＤＣＣＨが送信される前端の２個のＯＦＤＭシンボルに対しては、パンクチャリング(ｐｕｎｃｔｕｒｅ)又はレート−マッチング(ｒａｔｅ−ｍａｔｃｈｉｎｇ)されたと仮定して、以後の５個のシンボルに自身のデータ及び／又は制御情報が送信されると仮定する。これに対して、１つのサブフレームの後端に位置するＴＴＩ(２番目のスロット)に対して、端末はパンクチャリング又はレート−マッチングするリソース領域無しに７個の全てのシンボルにデータ及び／又は制御情報が送信可能であると仮定する。
【００８２】
また、本発明では、２個のＯＦＤＭシンボル(以下、「ＯＳ」という)からなるｓＴＴＩと３個のＯＳからなるｓＴＴＩとが、図８のように、１つのサブフレーム内に混在するｓＴＴＩの構造を含んで考慮する。このような２−ＯＳ又は３−ＯＳのｓＴＴＩを単に２−シンボルｓＴＴＩ(すなわち、２−ＯＳ ｓＴＴＩ)と定義してもよい。また、２−シンボルｓＴＴＩ又は３−シンボルｓＴＴＩを単に２−シンボルＴＴＩ又は３−シンボルＴＴＩと称してもよく、これらはいずれも本発明が前提しているレガシＴＴＩである１ｍｓＴＴＩよりも短いＴＴＩであることを明らかにしたい。すなわち、明細書において「ＴＴＩ」と記載されても、ｓＴＴＩではないのではないことは明らかであり、その名称にはかかわらず本発明が提案しようとするのは、レガシＴＴＩよりも短い長さのＴＴＩからなるシステムにおける通信方式に関するものである。
【００８３】
また、本明細書におけるニューマロロジー(ｎｕｍｅｒｏｌｏｇｙ)とは、当該無線通信システムに適用されるＴＴＩ長、サブキャリア間隔などの決定又は決定されたＴＴＩ長又はサブキャリア間隔などのようなパラメータ又はそれに基づいた通信構造又はシステムなどを意味する。
【００８４】
図８(ａ)に示された＜３,２,２,２,２,３＞ｓＴＴＩパターンでは、ＰＤＣＣＨのシンボル数に応じてｓＰＤＣＣＨが送信されてもよい。図８(ｂ)の＜２,３,２,２,２,３＞ｓＴＴＩパターンは、レガシＰＤＣＣＨ領域によってｓＰＤＣＣＨの送信が難しいことがある。
【００８５】
ＵＬチャネルのための衝突ハンドリング（Ｃｏｌｌｉｓｉｏｎ  ｈａｎｄｌｉｎｇ  ｆｏｒ  ＵＬ  ｃｈａｎｎｅｌｓ）
【００８６】
互いに異なるニューマロロジー（ｎｕｍｅｒｏｌｏｇｙ）（例えば、ＴＴＩ長さ、サブキャリア間隔など）を有する複数のＵＬチャネルに対する送信タイミングが時間上で重畳する場合、例えば、より長い（ｌｏｎｇｅｒ）ＴＴＩとより短い（ｓｈｏｒｔｅｒ）ＴＴＩを有するＵＬチャネルの送信タイミングが重畳する場合を仮定する。各々のチャネルの送信タイミングは、ＤＬ／ＵＬサブキャリア間隔及びＴＴＩに基づいて決定されるため、各電力を割り当てるまで（ＰＵＣＣＨ又はＰＵＳＣＨ送信時）にかかる時間が異なり得、より長いＴＴＩの送信中に、より短いＴＴＩの送信が始まる可能性がある。この場合、より長いＴＴＩの電力を決定する際に、より短いＴＴＩの電力を考慮することが難しいことがあり、（１）より長いＴＴＩの送信を中止（ｓｔｏｐ）するか、又は（２）より短いＴＴＩと重畳するシンボルをパンクチャリング（ｐｕｎｃｔｕｒｉｎｇ）／電力減少して送信してもよい。しかし、前者の場合、より長いＴＴＩ  ＵＬチャネルを常にドロップ（ｄｒｏｐ）しなければならないため、より長いＴＴＩに対するＵＬレイテンシが悪化する可能性があり、一方、後者の場合、より短いＴＴＩと重畳するシンボル数が増えるほど、パンクチャリング／電力減少されたより長いＴＴＩ  ＵＬチャネルの信頼度（ｒｅｌｉａｂｉｌｉｔｙ）が悪化する可能性がある。
【００８７】
１つの端末の観点から、異なるニューマロロジーを支援して、２つのＵＬ送信が時間／周波数リソースにおいて重畳して１つを選択しなければならないとき、又は電力制限された状況になるとき、より短い送信又はより高いＱｏＳ要求チャネルに優先順位を与えるように規則が定義されてもよい。衝突が発生するチャネル間の優先順位を定める方式は、上位層シグナリングで設定されてもよく、動的スケジューリング情報によって送信されてもよい。このとき、より優先順位の低いチャネルに対する処理方法に関する情報が、より高い優先順位のチャネルをスケジュールするＤＣＩに含まれて送信されるか、２つのチャネルに対するＵＬ承認（ｇｒａｎｔ）のうち後で受信されるスケジューリング承認に含まれて送信されるように規則が定義されてもよい。また別の方案としては、より優先順位の低いチャネルに対する処理方法に関する情報が半−静的に端末に設定され、端末はこれに従ってより優先順位の低いチャネルを処理するように規則が定義されてもよい。具体的に、より優先順位の低いチャネルに対する処理方法として、ドロップ（ｄｒｏｐ）及び／又はパンクチャリング及び／又は中止及び再開（ｓｕｓｐｅｎｄｉｎｇ＆ｒｅｓｕｍｉｎｇ）などが含まれ、ここで、中止及び再開は、より優先順位の低いチャネルの送信を中止して、送信が後になることがパンクチャリングとの差異であると言える。
【００８８】
より具体的に、上述した動的指示及び／又は半−静的設定によって特定の行動が指示／設定されても、より高い優先順位のチャネルの時間／周波数リソース占有領域及び／又はより優先順位の低いチャネルのスチール（ｓｔｅａｌ）される時間／周波数リソース領域によって、より優先順位の低いチャネルに対する処理方法が異なり得る。一例として、上述した動的指示及び／又は半−静的設定によって、より優先順位の低いチャネルに対する行動がパンクチャリングであると指示／設定されても、より高い優先順位のチャネルと、より低い優先順位のチャネルのＤＭＲＳが重畳された場合には、より低い優先順位のチャネルがドロップされるように規則が定義されてもよい。
【００８９】
より一般には、チャネル間の優先順位に従って全体チャネルの動作が定められるというよりは、当該チャネルの衝突が発生した時点に応じても異なる動作を適用することができる。すなわち、より低い優先順位のチャネルのリソース区間のうち特定の区間は、より高い優先順位のチャネルに比べて優先順位を有したり、先占（ｐｒｅｅｍｐｔｉｏｎ）されたりすることはできない可能性があり、この場合、優先順位には関係なく進行中の（ｏｎ−ｇｏｉｎｇ）送信が優先してもよい。また、例えば、特定のＵＬ承認に対して端末がスキップ（ｓｋｉｐ）できる場合、より高い優先順位のチャネルに対するＵＬ承認を受信した場合、より低い優先順位のチャネルに送信するデータを共により高い優先順位のチャネルにピギーバック（ｐｉｇｇｙｂａｃｋ）して送信するか、当該ペイロードをより高い優先順位のチャネルを介して送信することもできる。
【００９０】
また、ＵＬ承認なく送信されるチャネルとＵＬ承認に基づくチャネルとの衝突を考慮して、ＵＬ承認なく送信されるチャネルが高い優先順位を有する場合、当該低いチャネルに対する処理方式は、低い優先順位のチャネルをスケジュールするＵＬ承認で送信することができる。この場合、より低い優先順位となったときの動作を指定することもできるが、当該ＵＬ承認の優先順位そのものを指定することもできる。端末は優先順位情報に従って自身が送信しようとするＵＬ承認のない（ＵＬ  ｇｒａｎｔ−ｆｒｅｅ）リソースの送信との優先順位を決定することができる。
【００９１】
このような優先順位の一例は、ＵＬ承認がいずれのベアラ（ｂｅａｒｅｒ）にマッピングされるかの情報であるか、ＱｏＳ（Ｑｕａｌｉｔｙ  ｏｆ  Ｓｅｒｖｉｃｅ）情報である。又は、優先順位の一例は、先占の可否に対する指示であってもよい。
【００９２】
先占が可能な場合、先占される場合の動作が共に指示されてもよい。この場合、高い優先順位のチャネル又はＵＬ承認のない送信が存在しても存在しなくてもよいため、当該方式は高い優先順位のチャネル又はＵＬ承認のない送信が存在する場合に限って活性化されることを仮定する。より具体的に、ＵＬ承認のない送信とＵＬ承認でＵＬリソースが指定された場合、ＵＬ承認のない送信のためのリソースを用いてデータを送信して、当該ＵＬ承認に対してはスキップするように規則が定義されてもよい。よって、ＵＬ承認のない送信とＵＬ承認に基づく送信とが互いに衝突するときにおけるより低い優先順位のチャネルに対する動作のドロップと、ＵＬ承認ベースのチャネル間の衝突のドロップとは異なり得る。前者の場合、ドロップはＵＬ承認ベースの送信に対するＵＬ送信を開始しないスキップを含むものであるか、（端末の選択に応じて）又はスキップを意味してもよい。又は、この動作が２つの異なるＴＲＰ（ｔｒａｎｓｍｉｓｓｉｏｎ  ａｎｄ  ｒｅｃｅｐｔｉｏｎ  ｐｏｉｎｔ）で受信したスケジューリング承認又はＵＬ承認のないリソースとＵＬ承認ベースのスケジューリングとの間の優先順位設定に関するものであってもよい。
【００９３】
この場合、より高い優先順位チャネル送信のＴＡ（ｔｉｍｉｎｇ  ａｌｉｇｎｍｅｎｔ）値と、より低い優先順位チャネル送信のＴＡ値とが異なり得る。よって、パンクチャリング又は中止及び再開などの動作が指示される場合、ＴＡ値の差によって、より高い優先順位チャネル送信区間の他にＴＡ値を調整するギャップ（ｇａｐ）が前又は後（ＴＡ値によって、例えば、より高い優先順位チャネルのＴＡが大きい場合、前にギャップが必要、逆の場合、後にギャップが必要）に生じることを仮定する。当該ギャップは、ＴＡの差分だけ端末が生成するか、ネットワークが設定したギャップを空ける。又は、端末がＴＡの差をネットワークに知らせて、ネットワークが適宜なギャップを設定してもよい。当該方式は、ＵＬ承認のない送信と、ＵＬ承認ベースの送信との衝突にも適用され、当該ギャップをネットワークが知る必要があるため、ＴＡ値が異なる場合、端末がネットワークに報告することを考慮する。ＵＬ承認のない場合のＴＡ設定は、端末が当該ＴＲＰからＵＬ承認ベースの送信などによって適用されたＴＡ値の有効タイミングウィンドー（ｔｉｍｉｎｇ  ｗｉｎｄｏｗ）を仮定することができ、当該タイミングが過ぎてもＴＡが更新されない場合、ＴＡ値を未詳（ｕｎｋｎｏｗｎ）に設定することができる。ＴＡが未詳である場合、端末はＵＬ承認のない送信時に最大ＴＡを仮定して送信し（最大ＴＡはネットワークが予め設定したと仮定）、最大ＴＡ分だけＣＰが増加すると仮定するか、プリアンブルを送信してもよい。又は、この場合のためのＵＬ承認のないリソースが別として設定される。
【００９４】
異なるＱｏＳ及び／又は要求事項を有する複数のＵＬチャネルに対する送信タイミングが時間上において重畳する場合、既存のハンドリングとは異なる方式が適用されることもできる。一例として、より高い信頼度及び／又はより低いレイテンシを要求するトラフィックに対するチャネル送信の場合、より高い優先順位を与えて他のチャネルとの衝突から保護することができる。
【００９５】
より具体的には、特定のチャネルがより高い信頼度及び／又はより低いレイテンシを要求するトラフィックに対するＰＵＣＣＨと相対的に低い信頼度及び／又は高いレイテンシを要求するトラフィックに関するチャネルと時間上において重畳する場合、たとえＰＵＣＣＨとＰＵＳＣＨとの衝突であっても、端末がＰＵＣＣＨを送信してＰＵＳＣＨに対して低い優先順位を与えてドロップ／中止又はパンクチャリング又は電力減少などを行うように規則が定義されてもよい。この動作は、具体的に、ＰＵＣＣＨ／ＰＵＳＣＨの同時送信が設定されていないか、端末の能力（ｃａｐａｂｉｌｉｔｙ）を超える状況に適用することができる。また、ＰＵＣＣＨ／ＰＵＳＣＨの同時送信が設定されているか、可能な場合であっても（又は、同時送信設定／能力とは関係なく）端末が電力−制限された状況に限って適用されることもできる。この動作は、特定のＰＵＣＣＨフォーマットの場合に限って適用されてもよいが、一例として、カバレッジが大きい系列の（及び／又は最大のペイロードサイズが小さい系列の）ＰＵＣＣＨフォーマットに限って適用されてもよい。
【００９６】
この動作は、ＰＵＣＣＨが時間ドメイン（ｔｉｍｅ  ｄｏｍａｉｎ）に反復／分割（ｒｅｐｅｔｉｔｉｏｎ／ｓｅｇｍｅｎｔａｔｉｏｎ）されて複数のＴＴＩにわたって送信される場合、そのうち１番目のＴＴＩ又は１番目のＴＴＩを含む複数のＴＴＩの間に対してはより高い優先順位を与え、その後のＴＴＩに該当するＰＵＣＣＨに対しては低い優先順位を与えるように規則が定義されることもできる。すなわち、ＰＵＣＣＨが時間ドメインに反復／分割されて、複数のＴＴＩにわたって送信される場合、いずれのＴＴＩで送信されるかによって優先順位が異なるように設定されてもよい。
【００９７】
より一般には、異なるＴＴＩ長さ及び／又はニューマロロジー及び／又はＱｏＳ及び／又はサービスタイプ及び／又は要求事項を有する複数のＵＬチャネルに対する送信タイミングが時間上において重畳する場合、このうち反復／分割動作中のチャネルに対してより高い優先順位を与え、端末が残りのチャネル（又は、一部）に対してドロップ／中止又はパンクチャリング又は電力減少などを行うように規則が定義されてもよい。又は、反復／分割動作中のチャネルの場合、常に高い優先順位を与えるよりは、反復／分割動作によるチャネル／送信のうち一部に対しては高い優先順位を与えて送信を保障する一方、残りの一部に対しては低い優先順位を与えるように規則が定義されてもよい。
【００９８】
異なるＴＴＩ長さ及び／又はニューマロロジー及び／又はＱｏＳ及び／又はサービスタイプ及び／又は要求事項を有する複数のＵＬチャネルに対する送信タイミングが時間上において重畳する場合、反復／分割動作中のチャネルの最小の反復／分割回数を保障するように規則が定義されてもよい。より具体的には、他のチャネルに比べて優先順位が後になって、反復／分割動作中にあるチャネルがドロップ／中止又はパンクチャリングされなければならない場合でも、予め定義された又は上位／物理層信号によって設定／指示された回数よりも少ない回数の送信にならないようにドロップ／中止又はパンクチャリング可否を端末が決定することができる。このとき、端末は現在までの反復／分割動作中にあるチャネルの送信回数及び／又は今後反復／分割動作中にあるチャネルの送信回数を考慮してドロップ／中止又はパンクチャリング可否を判断することができる。
【００９９】
一例として、反復回数が１０ＴＴＩ（全体送信は１回＋１０回の反復送信＝全体１１回の送信）であり、保障されるべき最小の反復回数は５ＴＴＩであるとき、ＴＴＩ＃ｎからＴＴＩ＃ｎ＋１０まで送信する場合、ＴＴＩ＃ｎ、ＴＴＩ＃ｎ＋１は送信して、ＴＴＩ＃ｎ＋２〜ＴＴＩ＃ｎ＋６はドロップされたとしたら、ＴＴＩ＃ｎ＋７で衝突が発生して反復中であるチャネルはドロップされるべきにもかかわらずドロップされずに、残りのチャネルがドロップ／中止されるように規則が定義されてもよい。
【０１００】
また別の方案として、反復／分割動作中のチャネルの最小の反復／分割回数までは当該チャネルが他のチャネルによってドロップ／中止又はパンクチャリングされないように規則が定義されてもよい。最小の反復／分割回数以後の反復／分割に該当するチャネルは、一般に定義された規則によってドロップ／中止又はパンクチャリング動作が決定されてもよい。
【０１０１】
現在のＬＴＥ標準によれば、サブフレームｎにおいてＵＬ承認ＤＣＩを介してサブフレームｎ＋ｋで送信される１ｍ  のＰＵＳＣＨがスケジュールされた状況において、サブフレームｎ＋１乃至サブフレームｎ＋Ｗ＿ＵＬの間の（ここで、Ｗ＿ＵＬ＜＝ｋ）時間にＳＰＵＳＣＨがスケジュールされる場合、端末が１ｍｓ  ＰＵＳＣＨ送信を期待しないように規則が定義されている。それに関する標準内容は、以下の参考事項のようである。
【０１０２】
[参考事項]
【０１０３】
For a serving cell, and a UE configured with higher layer parameter ul-TTI-Length, the UE is not expected to transmit subframe-based PUSCH in a given subframe corresponding to PDCCH/EPDCCH with uplink DCI format other than 7-0A/7-0B received in subframe n if the UE detects PDCCH/SPDCCH with uplink DCI format 7-0A/7-0B in any subframe from subframe n+1 to subframe n+WUL corresponding to a PUSCH transmission, and WUL is indicated by skipSubframeProcessing capability.
【０１０４】
このとき、１ｍｓ  ＰＵＳＣＨにＨＡＲＱ−ＡＣＫのようなＵＣＩが含まれて送信される予定である場合、当該ＵＣＩ送信方案を以下のように提案する。
【０１０５】
−  オプション１：１ｍｓ  ＰＵＳＣＨに含まれて送信される予定であるＵＣＩは、ＰＵＳＣＨ送信予定であるサブフレームにおいて１ｍｓ  ＰＵＣＣＨで送信されるように規則が定義される。
【０１０６】
−  オプション２：１ｍｓ  ＰＵＳＣＨに含まれて送信される予定であるＵＣＩは、ＰＵＳＣＨ送信予定であるサブフレームにおいて予め定義されたｓＴＴＩ（例えば、ＰＵＳＣＨ送信予定であるサブフレームの１番目のｓＴＴＩ）において、又は上位層信号を介して設定されたｓＴＴＩにおいてＳＰＵＣＣＨで送信されるように規則が定義される。ここで、ＳＰＵＣＣＨのＴＴＩ長さは当該サービングセルが含まれたＰＵＣＣＨグループ／セルグループ内又は当該サービングセルに設定されたＵＬ  ＴＴＩ長さに従うように規則が定義される。当該ＳＰＵＣＣＨ送信時点にｓＴＴＩ  ＰＵＳＣＨ（すなわち、ＳＰＵＳＣＨ）がスケジュールされた場合、該ＵＣＩはＳＰＵＳＣＨにピギーバックされるように規則が定義されてもよく、具体的に、該ピギーバックはＰＵＳＣＨとＰＵＣＣＨの同時送信が設定されない場合に適用されてもよい。
【０１０７】
−  オプション３：１ｍｓ  ＰＵＳＣＨに含まれて送信される予定であるＵＣＩは、ＰＵＳＣＨ送信予定であるサブフレームにおいて１ｍｓ  ＰＵＳＣＨで送信されるように規則が定義される。但し、当該ＰＵＳＣＨはデータ（ＵＬ−ＳＣＨ）が含まれず、ＵＣＩのみが含まれるチャネル送信であってもよい。従来のＬＴＥにおいて、ＵＬ−ＳＣＨのない状況で、ＰＵＳＣＨのＨＡＲＱ−ＡＣＫがマッピングされるコードされたシンボル（ｃｏｄｅｄ  ｓｙｍｂｏｌ）の数（すなわち、リソース要素の数）を決定するための数式は、以下のようである。
【０１０８】
【数１】
0006810270.tif 000024
【０１０９】
ここで、
0006810270.tif 000025
は、ＣＳＩトリガを受けた全てのＣＳＩ（プロセス）のＣＱＩビット数とＣＲＣビット数との合計値である。このオプションが適用される場合、ＣＳＩトリガを当該サブフレームからもらったという保障がないことから、
0006810270.tif 000026
の値が０となり、Ｑ'値を求めることができなくなることがある。よって、このオプションが適用される場合、
0006810270.tif 000027
が各コードブロックに該当するデータビット数の総和に取り替えられることができる。これは、データビット数が実際に送信される場合を仮定した数式と同一になることを意味するが、実際に、このオプションは、データビットを送信しないため、ＨＡＲＱ−ＡＣＫが全てのＰＵＳＣＨ  ＲＥに載せられるように
0006810270.tif 000028
、又はＨＡＲＱ−ＡＣＫビットがより多いＲＥに載せられるように（例えば、「ＰＵＳＣＨがマッピングされるべきＲＥ全数＊オフセット」のような方式、ここで、オフセットは１より小さいか同一の数であって、上位層信号を介して設定されるか、予め約束された値）規則が定義される。
【０１１０】
−  オプション３−１：１ｍｓ  ＰＵＳＣＨに含まれて送信される予定であるＵＣＩは、ＰＵＳＣＨ送信予定であるサブフレームにおいて１ｍｓ  ＰＵＳＣＨで送信されるように規則が定義され、当該ＰＵＳＣＨはデータ（ＵＬ−ＳＣＨ）が含まれず、ＵＣＩのみを含むチャネル送信であってもよい。特に、ＨＡＲＱ−ＡＣＫのような場合、実際に、ＰＵＳＣＨのうち４個のＳＣ−ＦＤＭＡシンボルにのみマッピングされるため、全体のサブフレームで送信することは、  端末の電力消費及び／又は他の端末からのＵＬチャネルへの干渉軽減のために望ましくない可能性がある。
【０１１１】
よって、この場合には、端末は、実際にＨＡＲＱ−ＡＣＫとＤＭＲＳがマッピングされるシンボルにのみ電力を与えて送信して、残りのシンボルで電力を減少（又は、零（ｚｅｒｏ）に減少）するように規則が定義されてもよい。また別の方案としては、電力過度（ｐｏｗｅｒ  ｔｒａｎｓｉｅｎｔ）を経験させないために、ＰＵＳＣＨ送信を部分的に行うように規則が定義されてもよいが、具体例として、端末は、サブフレーム内のＨＡＲＱ−ＡＣＫがマッピングされる１番目のシンボル（例えば、１ｍｓ  ＰＵＳＣＨ内の３番目のシンボル又は１ｍｓ  ＰＵＳＣＨ内の１番目のスロットの３番目のシンボル）から最後のシンボル（例えば、１ｍｓ  ＰＵＳＣＨ内の１２番目のシンボル又は１ｍｓ  ＰＵＳＣＨ内の２番目のスロットの５番目のシンボル）の間にだけ電力を与えて送信して、残りのシンボルは電力を減少（又は、零（ｚｅｒｏ）に減少）するように規則が定義されてもよい。
【０１１２】
−  オプション３−２：上述の状況下で１ｍｓ  ＰＵＳＣＨに含まれて送信される予定であるＵＣＩは、ＰＵＳＣＨ送信予定であるサブフレームにおいて１ｍｓ  ＰＵＳＣＨで送信されるように規則が定義され、当該ＰＵＳＣＨはデータ（ＵＬ−ＳＣＨ）が含まれず、ＵＣＩのみを含むチャネル送信であってもよい。この場合、ＰＵＳＣＨリソース割り当てによって指示されたＲＢのうちＵＣＩがマッピングされたＲＥが含まれたＲＢに限って端末がＰＵＳＣＨを送信するように規則が定義されてもよい。これは、端末の電力消費及び／又は他の端末からのＵＬチャネルへの干渉軽減のためであり得る。
【０１１３】
−  オプション４：１ｍｓ  ＰＵＳＣＨに含まれているＵＣＩのうち、ＨＡＲＱ−ＡＣＫの場合、ドロップされることが好ましくないことがある。例えば、搬送波併合が設定された場合、全ての搬送波又はサービングセルで送信される、ＨＡＲＱ−ＡＣＫを含む１ｍｓ  ＰＵＳＣＨがドロップされることは、システムのレイテンシをかえって長くする可能性がある。よって、サブフレームｎにおいてＵＬ承認ＤＣＩを介してサブフレームｎ＋ｋで送信される１ｍｓ  ＰＵＳＣＨがスケジュールされた状況で、サブフレームｎ乃至サブフレームｎ＋Ｗ＿ＵＬ又はサブフレームｎ＋１乃至サブフレームｎ＋Ｗ＿ＵＬの間（ここで、Ｗ＿ＵＬ＜＝ｋ）の時間にＳＰＵＳＣＨがスケジュールされる場合、ＨＡＲＱ−ＡＣＫを含む１ｍｓ  ＰＵＳＣＨはドロップされず、該ＨＡＲＱ−ＡＣＫを含む１ｍｓ  ＰＵＳＣＨが送信されない残りの搬送波又はセルで送信される１ｍｓ  ＰＵＳＣＨ、すなわち、ＨＡＲＱ−ＡＣＫを含まない１ｍｓ  ＰＵＳＣＨのみがドロップされるように（すなわち、端末の具現に応じては、送信されるか、送信されないように）規則が定義される。
【０１１４】
−  オプション４−１：或いは、ＨＡＲＱ−ＡＣＫを含む１ｍｓ  ＰＵＳＣＨの場合、ドロップされるＰＵＳＣＨのうち最後にドロップされるように規則が定義される。換言すれば、複数の搬送波又はセルでスケジュールされた１ｍｓ  ＰＵＳＣＨのうち、ＨＡＲＱ−ＡＣＫを含まないＰＵＳＣＨから優先してドロップされるように規則が定義される。さらに、ＨＡＲＱ−ＡＣＫを含む１ｍｓ  ＰＵＳＣＨまで全ての搬送波又はセルでＰＵＳＣＨが当該サブフレームにおいてドロップされる場合は、当該ＨＡＲＱ−ＡＣＫ（及び／又はＲＩ／ＣＱＩ／ＰＭＩを含む他のＵＣＩ）が１ｍｓ  ＰＵＣＣＨで送信されるように規則が定義されてもよい。
【０１１５】
−  オプション５：サブフレームｎにおいてＵＬ承認ＤＣＩを介してサブフレームｎ＋ｋで送信される１ｍｓ  ＰＵＳＣＨがスケジュールされた状況で、サブフレームｎ乃至サブフレームｎ＋Ｗ＿ＵＬ又はサブフレームｎ＋１乃至サブフレームｎ＋Ｗ＿ＵＬの間（ここで、Ｗ＿ＵＬ＜＝ｋ）の時間にＳＰＵＳＣＨがスケジュールされるとき、１ｍｓ  ＰＵＳＣＨにＣＳＩが含まれて送信される予定であった場合、ＣＳＩのうち一部又は全体の情報をＵＬ−ＳＣＨ無しに１ｍｓ  ＰＵＳＣＨで送信されるように規則が定義される。具体的に、少なくともＲＩがＵＬ−ＳＣＨなく１ｍｓ  ＰＵＳＣＨで送信されるか、又はＲＩ及びＣＱＩ／ＰＭＩがＵＬ−ＳＣＨなく１ｍｓ  ＰＵＳＣＨで送信されてもよい。この動作は「ＵＬ−ＳＣＨのないＣＳＩ  ｏｎ  ＰＵＳＣＨ」送信のために必要なＲＢ数及び／又はＭＣＳインデックスなどの条件には関係なく、上述した条件が満たされれば適用可能である。
【０１１６】
ＵＬ承認に基づく送信とＵＬ承認のない送信との衝突ハンドリング（Ｃｏｌｌｉｓｉｏｎ  ｈａｎｄｌｉｎｇ  ｂｅｔｗｅｅｎ  ｔｒａｎｓｍｉｓｓｉｏｎｓ  ｗｉｔｈ  ｇｒａｎｔ  ａｎｄ  ｗｉｔｈｏｕｔ  ｇｒａｎｔ）
【０１１７】
次期システムでは、応用分野に応じて、送信レイテンシを大幅に減らす方式の導入を考慮している。特に、ＵＬ送信においては、従来のＵＬ承認に基づいてスケジュールすることの代わりに、端末の決定によってＵＬ送信が開始されるＵＬ承認のない送信（ｇｒａｎｔ−ｆｒｅｅ  ＵＬ  ｔｒａｎｓｍｉｓｓｉｏｎ）の導入を考慮している。より具体的に、基地局は、ＵＬ承認のない送信のためのリソース集合を設定して、端末に指示することができ、端末は、ＵＬ承認がなくてもＵＬ送信を開始することができる。説明の便宜のために、このような送信方式を「承認のないＵＬ送信（ＵＬ  ｔｒａｎｓｍｉｓｓｉｏｎ  ｗｉｔｈｏｕｔ  ｇｒａｎｔ）」と称する。この「承認のないＵＬ送信」は従来のＬＴＥのＳＰＳ（ｓｅｍｉ−ｐｅｒｓｉｓｔｅｎｔ）送信又はＳＰＳ−類似（ｌｉｋｅ）送信方式を含むこともできる。逆に、基地局のスケジューリング情報を含むＵＬ承認ＤＣＩによってＵＬ（データ）送信を行う方式を、説明の便宜のために、「承認を用いたＵＬ送信（ＵＬ  ｔｒａｎｓｍｉｓｓｉｏｎ  ｗｉｔｈ  ｇｒａｎｔ）」と称する。互いに異なるＴＴＩ長さを有する及び／又はニューマロロジーを有する承認のないＵＬ送信と、承認を用いたＵＬ送信が時間上で重畳する場合、端末の行動を以下のように提案する。
【０１１８】
−  オプション（ｏｐｔｉｏｎ）１：ＴＴＩ長さ及び／又はニューマロロジーとは関係なく、常に「承認のないＵＬ送信」により高い優先順位を与える。同時送信が不可能な状況である場合、端末は承認を用いたＵＬ送信に該当するチャネルをドロップ又は中止する。これは端末がレイテンシ要求事項が相対的に高いトラフィックに対して「承認のないＵＬ送信」方式のチャネルを送信することが予想されるからである。
【０１１９】
−  オプション２：「承認のないＵＬ送信」方式のチャネルが「承認を用いたＵＬ送信」方式のチャネルに比べてより短いＴＴＩ長さ及び／又はより大きいサブキャリア間隔を有する場合、「承認のないＵＬ送信」方式のチャネルにより高い優先順位を与える。一方、その逆の場合、すなわち、「承認のないＵＬ送信」方式のチャネルが「承認を用いたＵＬ送信」方式のチャネルに比べてより長いＴＴＩ長さ及び／又はより小さいサブキャリア間隔を有する場合、「承認を用いたＵＬ送信」方式のチャネルにより高い優先順位を与える。
【０１２０】
上述した提案方式に対する一例も本発明の具現方法のうち１つとして含まれてもよいため、一種の提案方式としてみなされるのは明白である。また、説明した提案方式は、独立して具現されてもよく、一部の提案方式の組み合わせ(又は、併合)の形態で具現されてもよい。提案方法の適用可否情報(又は、上述した提案方法の規則に関する情報)は、基地局が端末に予め定義されたシグナル(例えば、物理層シグナル又は上位層シグナル)を通じて知らせるように規則が定義されてもよい。
【０１２１】
図９は、本発明の実施例を実行する送信装置１０及び受信装置２０の構成要素を示すブロック図である。送信装置１０及び受信装置２０は、情報及び／又はデータ、信号、メッセージなどを運ぶ無線信号を送信又は受信できる送信器／受信器１３，２３と、無線通信システム内の通信と関連した各種情報を記憶するメモリ１２，２２と、送信器／受信器１３，２３及びメモリ１２，２２などの構成要素と動作的に接続してこれらの構成要素を制御し、当該装置が前述の本発明の実施例の少なくとも一つを実行するようにメモリ１２，２２及び／又は送信器／受信器１３，２３を制御するように構成されたプロセッサ１１，２１をそれぞれ備える。
【０１２２】
メモリ１２，２２は、プロセッサ１１，２１の処理及び制御のためのプログラムを格納することができ、入／出力される情報を仮記憶することができる。メモリ１２，２２がバッファーとして活用されてもよい。プロセッサ１１，２１は、一般に、送信装置又は受信装置内の各種モジュールの動作全般を制御する。特に、プロセッサ１１，２１は、本発明を実行するための各種制御機能を果たすことができる。プロセッサ１１，２１をコントローラ（ｃｏｎｔｒｏｌｌｅｒ）、マイクロコントローラ（ｍｉｃｒｏｃｏｎｔｒｏｌｌｅｒ）、マイクロプロセッサ（ｍｉｃｒｏｐｒｏｃｅｓｓｏｒ）、マイクロコンピュータ（ｍｉｃｒｏｃｏｍｐｕｔｅｒ）などと呼ぶこともできる。プロセッサ１１，２１は、ハードウェア（ｈａｒｄｗａｒｅ）又はファームウェア（ｆｉｒｍｗａｒｅ）、ソフトウェア、又はこれらの結合によって具現されてもよい。ハードウェアを用いて本発明を具現する場合は、本発明を実行するように構成されたＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）などがプロセッサ１１，２１に設けられてもよい。一方、ファームウェアやソフトウェアを用いて本発明を具現する場合は、本発明の機能又は動作を実行するモジュール、手順又は関数などを含むようにファームウェアやソフトウェアが構成されてもよい。本発明を実行できるように構成されたファームウェア又はソフトウェアは、プロセッサ１１，２１内に設けられたりメモリ１２，２２に格納されてプロセッサ１１，２１によって駆動されてもよい。
【０１２３】
送信装置１０におけるプロセッサ１１は、プロセッサ１１又はプロセッサ１１に接続しているスケジューラからスケジューリングされて外部に送信される信号及び／又はデータに対して所定の符号化（ｃｏｄｉｎｇ）及び変調（ｍｏｄｕｌａｔｉｏｎ）を行った後、送信器／受信器１３に送信する。例えば、プロセッサ１１は、送信しようとするデータ列を逆多重化、チャネル符号化、スクランブリング、及び変調の過程などを経てＫ個のレイヤに変換する。符号化されたデータ列はコードワードとも呼ばれ、ＭＡＣ層が提供するデータブロックである送信ブロックと等価である。一伝送ブロック（ｔｒａｎｓｐｏｒｔ  ｂｌｏｃｋ，ＴＢ）は一コードワードに符号化され、各コードワードは一つ以上のレイヤの形態で受信装置に送信される。周波数上り変換のために送信器／受信器１３はオシレータ（ｏｓｃｉｌｌａｔｏｒ）を含むことができる。送信器／受信器１３はＮｔ個（Ｎｔは１以上の正の整数）の送信アンテナを含むことができる。
【０１２４】
受信装置２０の信号処理過程は、送信装置１０の信号処理過程の逆となる。プロセッサ２１の制御下に、受信装置２０の送信器／受信器２３は送信装置１０から送信された無線信号を受信する。送信器／受信器２３は、Ｎｒ個の受信アンテナを含むことができ、送信器／受信器２３は受信アンテナから受信した信号のそれぞれを周波数下り変換して（ｆｒｅｑｕｅｎｃｙ  ｄｏｗｎ−ｃｏｎｖｅｒｔ）基底帯域信号に復元する。送信器／受信器２３は、周波数下り変換のためにオシレータを含むことができる。プロセッサ２１は、受信アンテナから受信した無線信号に対する復号（ｄｅｃｏｄｉｎｇ）及び復調（ｄｅｍｏｄｕｌａｔｉｏｎ）を行い、送信装置１０が本来送信しようとしたデータに復元することができる。
【０１２５】
送信器／受信器１３，２３は一つ以上のアンテナを具備する。アンテナは、プロセッサ１１，２１の制御下に、本発明の一実施例によって、送信器／受信器１３，２３で処理された信号を外部に送信したり、外部から無線信号を受信して送信器／受信器１３，２３に伝達する機能を果たす。アンテナはアンテナポートと呼ばれることもある。各アンテナは一つの物理アンテナに該当したり、２以上の物理アンテナ要素の組み合わせによって構成されてもよい。各アンテナから送信された信号は受信装置２０によってそれ以上分解されることはない。当該アンテナに対応して送信された参照信号（ｒｅｆｅｒｅｎｃｅ  ｓｉｇｎａｌ，ＲＳ）は受信装置２０の観点で見たアンテナを定義し、チャネルが一物理アンテナからの単一（ｓｉｎｇｌｅ）無線チャネルであるか、或いは当該アンテナを含む複数の物理アンテナ要素からの合成（ｃｏｍｐｏｓｉｔｅ）チャネルであるかに関係なく、受信装置２０にとって当該アンテナに対するチャネル推定を可能にする。すなわち、アンテナは、該アンテナ上のシンボルを伝達するチャネルが同一アンテナ上の他のシンボルが伝達される前記チャネルから導出されるように定義される。複数のアンテナを用いてデータを送受信する多重入出力（Ｍｕｌｔｉ−Ｉｎｐｕｔ  Ｍｕｌｔｉ−Ｏｕｔｐｕｔ、ＭＩＭＯ）機能を支援する送信器／受信器の場合は２個以上のアンテナに接続されてもよい。
【０１２６】
本発明の実施例において、端末又はＵＥは上りリンクでは送信装置１０として動作し、下りリンクでは受信装置２０として動作する。本発明の実施例において、基地局又はｅＮＢは上りリンクでは受信装置２０として動作し、下りリンクでは送信装置１０として動作する。
【０１２７】
送信装置及び／又は受信装置は、上述した本発明の実施例のうちの少なくとも１つ又は２つ以上の実施例の組み合わせを実行することができる。
【０１２８】
このような実施例の１つとして、無線通信システムにおいて、短いＴＴＩ（ｔｒａｎｓｍｉｓｓｉｏｎ  ｔｉｍｅ  ｉｎｔｅｒｖａｌ）長さの上りリンク信号を送信する端末であって、前記端末は受信器及び送信器；および前記受信器及び送信器を制御するプロセッサを含み、前記プロセッサは、上りリンク承認を含む下りリンク制御情報を受信して、また前記上りリンク承認に対応する上りリンク信号の送信時点と、ＳＰＳ（ｓｅｍｉ−ｐｅｒｓｉｓｔｅｎｔ）上りリンク信号の送信時点とが重畳する場合、前記上りリンク承認に対応する上りリンク信号が送信される第１のチャネルのＴＴＩ長さが前記ＳＰＳ上りリンク信号が送信される第２のチャネルのＴＴＩ長さよりも長い場合、前記送信時点において前記第１のチャネル及び前記第２のチャネルのうち前記第２のチャネル上でのみ上りリンク信号送信を行うように構成されることができる。
【０１２９】
また、前記下りリンク制御情報が受信されたサブフレームの次のサブフレーム（「サブフレーム＃ｎ＋１」）から前記上りリンク承認に対応する上りリンク信号が送信されるサブフレーム（「サブフレーム＃ｎ＋ｋ」）までの時間区間の間に、前記第１のチャネルのＴＴＩ長さよりも短い長さの物理上りリンク共有チャネル（ｐｈｙｓｉｃａｌ  ｕｐｌｉｎｋ  ｓｈａｒｅｄ  ｃｈａｎｎｅｌ；ＰＵＳＣＨ）の送信をスケジュールする第２の上りリンク承認を含む第２の下りリンク制御情報が受信された場合、前記プロセッサは、サブフレーム＃ｎ＋ｋにおいて前記上りリンク承認に対応する上りリンク信号を物理上りリンク制御チャネル（ｐｈｙｓｉｃａｌ  ｕｐｌｉｎｋ  ｃｏｎｔｒｏｌ  ｃｈａｎｎｅｌ；ＰＵＣＣＨ）上で送信するように構成されることができる。
【０１３０】
また、前記下りリンク制御情報が受信されたサブフレームの次のサブフレーム（「サブフレーム＃ｎ＋１」）から前記上りリンク承認に対応する上りリンク信号が送信されるサブフレーム（「サブフレーム＃ｎ＋ｋ」）までの時間区間の間に、前記第１のチャネルのＴＴＩ長さよりも短い長さの物理上りリンク共有チャネル（ｐｈｙｓｉｃａｌ  ｕｐｌｉｎｋ  ｓｈａｒｅｄ  ｃｈａｎｎｅｌ；ＰＵＳＣＨ）の送信をスケジュールする第２の上りリンク承認を含む第２の下りリンク制御情報が受信された場合、前記プロセッサは、サブフレーム＃ｎ＋ｋにおいて前記第１のチャネルのＴＴＩ長さよりも短い長さのｎ番目のＴＴＩにおいて前記上りリンク承認に対応する上りリンク信号を短い（ｓｈｏｒｔｅｎｅｄ）ＰＵＣＣＨ（ＳＰＵＣＣＨ）上で送信するように構成されて、前記ｎは予め設定されることができる。
【０１３１】
また、前記下りリンク制御情報が受信されたサブフレームの次のサブフレーム（「サブフレーム＃ｎ＋１」）から前記上りリンク承認に対応する上りリンク信号が送信されるサブフレーム（「サブフレーム＃ｎ＋ｋ」）までの時間区間の間に、前記第１のチャネルのＴＴＩ長さよりも短い長さの物理上りリンク共有チャネル（ｐｈｙｓｉｃａｌ  ｕｐｌｉｎｋ  ｓｈａｒｅｄ  ｃｈａｎｎｅｌ；ＰＵＳＣＨ）の送信をスケジュールする第２の上りリンク承認を含む第２の下りリンク制御情報が受信された場合、前記プロセッサは、サブフレーム＃ｎ＋ｋにおいて前記上りリンク承認に対応する上りリンク信号をデータを含まない第１のチャネルで送信するように構成されることができる。
【０１３２】
また、サブフレーム＃ｎ＋ｋ内の前記上りリンク信号がマッピングされるシンボルでのみ送信電力が使用されることができる。
【０１３３】
また、サブフレーム＃ｎ＋ｋ内の前記下りリンク制御情報によって指示されるリソースブロックのうち、前記上りリンク信号がマッピングされるリソースブロックでのみ送信電力が使用されることができる。
【０１３４】
上述したように開示された本発明の好適な実施例に関する詳細な説明は、当業者が本発明を具現して実施し得るように提供された。以上では本発明の好適な実施例を参照して説明したが、当該技術の分野における熟練した者には、添付の特許請求の範囲に記載された本発明を様々に修正及び変更できるということが理解できる。したがって、本発明はここに示した実施の形態に制限されるものではなく、ここに開示された原理及び新規な特徴と一致する最も広い範囲を付与するためのものである
【産業上の利用可能性】
【０１３５】
本発明は端末、リレー、基地局などのような無線通信装置に利用可能である。
【図１】
0006810270.tif 000029
【図２】
0006810270.tif 000030
【図３】
0006810270.tif 000031
【図４】
0006810270.tif 000032
【図５】
0006810270.tif 000033
【図６】
0006810270.tif 000034
【図７】
0006810270.tif 000035
【図８】
0006810270.tif 000036
【図９】
0006810270.tif 000037